(57)【要約】【課題】画像形成装置の使い勝手を向上させる。【解決手段】本発明は、筐体に装着された媒体カセットが離脱方向へ移動してセンサにより第１状態が検出されてから所定時間に達する前に、媒体カセットが装着方向へ移動して筐体に装着されてセンサにより第２状態が検出された場合、媒体カセットに装填された媒体の媒体種類情報を設定させるための媒体設定促進情報の出力を省略して画像形成処理を行い、第１状態の検出から所定時間が経過した後で第２状態が検出された場合、媒体設定促進情報を出力してから画像形成処理を行うことにより、媒体カセットが、装填されている媒体の種類や装填量を確認するために着脱された場合、媒体設定促進情報の出力を回避して、出力の終了操作や、出力の自動的な終了するまで待たせる煩わしさから開放することができ、画像形成装置の使い勝手を向上させることができる。【選択図】図５
2016137966.tif 000002
【特許請求の範囲】
【請求項１】
筐体と、
前記筐体に着脱可能で、複数種類の媒体を選択的に装填可能な媒体カセットと、
前記媒体カセットの状態を検出するセンサと、
前記媒体カセットに装填された前記媒体の種類に関する媒体種類情報を設定させるための媒体設定促進情報を出力する出力部と、
前記センサによる検出結果と、前記媒体種類情報とに基づいて、前記媒体カセットに装填された前記媒体を用いて画像形成処理の制御を行う制御部と
を具え、
前記制御部は、
前記筐体に装着された前記媒体カセットが離脱方向へ移動することで前記センサにより第１状態が検出され、当該第１状態が検出された後で前記媒体カセットが装着方向へ移動して前記筐体に装着されることで前記センサにより第２状態が検出されるとき、
前記センサによる前記第１状態の検出から所定時間に達する前に前記センサにより前記第２状態が検出された場合、前記媒体カセットに装填された前記媒体の前記媒体種類情報を設定させるための前記媒体設定促進情報の出力を省略して前記画像形成処理の制御を行い、
前記センサによる前記第１状態の検出から前記所定時間が経過した後で前記センサにより前記第２状態が検出された場合、前記媒体カセットに装填された前記媒体の前記媒体種類情報を設定させるための前記媒体設定促進情報を出力してから、前記媒体カセットに装填された前記媒体を用いて前記画像形成処理の制御を行う
画像形成装置。
【請求項２】
前記媒体カセットに設けられ、当該媒体カセットに装填された前記媒体の前記種類を検出するための媒体種類検出器
を具え、
前記制御部は、
前記センサによる前記第１状態の検出から前記所定時間に達する前に前記センサにより前記第２状態が検出された場合、前記媒体カセットの着脱前後に前記媒体種類検出器により検出された前記媒体の前記種類を比較し、当該比較結果に基づいて前記媒体設定促進情報の出力を制御する
請求項１に記載の画像形成装置。
【請求項３】
前記媒体カセットに設けられ、当該媒体カセットに装填された前記媒体の種類を選択させるための選択操作子
を具え、
前記媒体種類検出器は、
前記選択操作子を介して選択された前記媒体の前記種類を検出する
請求項２に記載の画像形成装置。
【請求項４】
前記媒体カセットに対する前記媒体の装填量を検出する装填量検出部
を具え、
前記制御部は、
前記センサによる前記第１状態の検出から前記所定時間に達する前に前記センサにより前記第２状態が検出された場合、前記媒体カセットの着脱前後に前記装填量検出部により検出された前記媒体の前記装填量を比較し、当該比較結果に基づいて前記媒体設定促進情報の出力を制御する
請求項１乃至請求項３の何れかに記載の画像形成装置。
【請求項５】
前記媒体カセットに昇降可能に設けられ、前記媒体を載上する媒体載上板と、
前記媒体載上板を上昇させるように駆動するモータと
を具え、
前記装填量検出部は、
前記媒体カセットの着脱前後に、当該媒体カセットに対する前記媒体の前記装填量として、前記モータにより前記媒体載上板を上昇させたときのモータ駆動量を検出し、
前記制御部は、
前記センサによる前記第１状態の検出から前記所定時間に達する前に前記センサにより前記第２状態が検出された場合、前記媒体カセットの着脱前後に前記装填量検出部により検出された前記モータ駆動量を比較し、当該比較結果に基づいて前記媒体設定促進情報の出力を制御する
請求項１乃至請求項４の何れかに記載の画像形成装置。
【発明の詳細な説明】
【技術分野】
【０００１】
本発明は画像形成装置に関し、例えば、モノクロ電子写真式プリンタ（以下、これをモノクロプリンタとも呼ぶ）に適用して好適なものである。
【背景技術】
【０００２】
従来の画像形成装置は、複数の媒体を装填するための媒体カセットが引出及び押込可能に装着されており、当該媒体カセットがサイズや厚み、材質等の異なる複数種類の媒体の何れも装填可能なように形成されていた。そして画像形成装置は、媒体カセットが媒体の補給等のために一旦、引き出されて押し込まれたときに媒体が装填されていることを検出すると、表示部に媒体種類設定メニューを表示する。これにより画像形成装置は、媒体種類設定メニュー上で媒体の種類に関する情報を入力させて当該媒体の種類を設定し、その設定に応じて印刷画像の形成処理を制御することで、当該媒体の表面に印刷画像を的確に形成していた（例えば、特許文献１参照）。
【先行技術文献】
【特許文献】
【０００３】
【特許文献１】特開２００４−３４７１１公報（第６頁乃至第８頁、図１乃至図４）
【発明の概要】
【発明が解決しようとする課題】
【０００４】
ところが、従来の画像形成装置は、例えば、単に媒体の種類を確認するために媒体カセットを一旦引き出して押し込んだ場合でも、当該媒体カセットに媒体が装填されていると、表示部に媒体種類設定メニューを表示している。この場合、従来の画像形成装置では、表示を終了するための所定の操作を行わせ、又は一定時間何ら操作させずに待たせて媒体種類設定メニューの表示を終了しており、使い勝手がわるいという問題があった。
【０００５】
本発明は以上の点を考慮してなされたもので、使い勝手を向上し得る画像形成装置を提案しようとするものである。
【課題を解決するための手段】
【０００６】
かかる課題を解決するため本発明においては、筐体と、筐体に着脱可能で、複数種類の媒体を選択的に装填可能な媒体カセットと、媒体カセットの状態を検出するセンサと、媒体カセットに装填された媒体の種類に関する媒体種類情報を設定させるための媒体設定促進情報を出力する出力部と、センサによる検出結果と、媒体種類情報とに基づいて、媒体カセットに装填された媒体を用いて画像形成処理の制御を行う制御部とを設け、制御部が、筐体に装着された媒体カセットが離脱方向へ移動することでセンサにより第１状態が検出され、当該第１状態が検出された後で媒体カセットが装着方向へ移動して筐体に装着されることでセンサにより第２状態が検出されるとき、センサによる第１状態の検出から所定時間に達する前にセンサにより第２状態が検出された場合、媒体カセットに装填された媒体の媒体種類情報を設定させるための媒体設定促進情報の出力を省略して画像形成処理の制御を行い、センサによる第１状態の検出から所定時間が経過した後でセンサにより第２状態が検出された場合、媒体カセットに装填された媒体の媒体種類情報を設定させるための媒体設定促進情報を出力してから、筐体に装着された媒体カセットに装填された媒体を用いて画像形成処理の制御を行うようにした。
【０００７】
従って本発明では、媒体カセットに装填されている媒体の種類や装填量を確認するために、筐体に対して媒体カセットが着脱された場合、媒体設定促進情報の出力を回避して、当該媒体設定促進情報の出力を終了させるための操作や、自動的に出力を終了するまで待たせるような煩わしさから開放することができる。
【発明の効果】
【０００８】
本発明によれば、筐体と、筐体に着脱可能で、複数種類の媒体を選択的に装填可能な媒体カセットと、媒体カセットの状態を検出するセンサと、媒体カセットに装填された媒体の種類に関する媒体種類情報を設定させるための媒体設定促進情報を出力する出力部と、センサによる検出結果と、媒体種類情報とに基づいて、媒体カセットに装填された媒体を用いて画像形成処理の制御を行う制御部とを設け、制御部が、筐体に装着された媒体カセットが離脱方向へ移動することでセンサにより第１状態が検出され、当該第１状態が検出された後で媒体カセットが装着方向へ移動して筐体に装着されることでセンサにより第２状態が検出されるとき、センサによる第１状態の検出から所定時間に達する前にセンサにより第２状態が検出された場合、媒体カセットに装填された媒体の媒体種類情報を設定させるための媒体設定促進情報の出力を省略して画像形成処理の制御を行い、センサによる第１状態の検出から所定時間が経過した後でセンサにより第２状態が検出された場合、媒体カセットに装填された媒体の媒体種類情報を設定させるための媒体設定促進情報を出力してから、筐体に装着された媒体カセットに装填された媒体を用いて画像形成処理の制御を行うことにより、媒体カセットに装填されている媒体の種類や装填量を確認するために、筐体に対して媒体カセットが着脱された場合、媒体設定促進情報の出力を回避して、当該媒体設定促進情報の出力を終了させるための操作や、自動的に出力を終了するまで待たせるような煩わしさから開放することができ、かくして使い勝手を向上し得る画像形成装置を実現することができる。
【図面の簡単な説明】
【０００９】
【図１】第１の実施の形態によるモノクロプリンタの内部構成を示す略線的側面図である。
【図２】媒体カセットの構成を示す略線的斜視図である。
【図３】媒体カセットの昇降駆動部の構成を示す略線的上面図及び略線的側面図である。
【図４】モノクロプリンタの回路構成を示すブロック図である。
【図５】第１設定画面表示制御処理手順を示すフローチャートである。
【図６】第２の実施の形態によるモノクロプリンタの内部構成を示す略線的側面図である。
【図７】媒体カセットの構成を示す略線的斜視図である。
【図８】選択操作子及び選択種類検出器の構成を示す略線的斜視図である。
【図９】媒体種類名と選択種類検出器の出力との対応関係を示す略線図である。
【図１０】モノクロプリンタの回路構成を示すブロック図である。
【図１１】第２設定画面表示制御処理手順（１）を示すフローチャートである。
【図１２】第２設定画面表示制御処理手順（２）を示すフローチャートである。
【図１３】第３の実施の形態によるモノクロプリンタの内部構成を示す略線的側面図である。
【図１４】モノクロプリンタの回路構成を示すブロック図である。
【図１５】第３設定画面表示制御処理手順（１）を示すフローチャートである。
【図１６】第３設定画面表示制御処理手順（２）を示すフローチャートである。
【図１７】他の実施の形態による第４設定画面表示制御処理手順を示すフローチャートである。
【発明を実施するための形態】
【００１０】
以下図面を用いて、発明を実施するための最良の形態（以下、これを実施の形態とも呼ぶ）について説明する。なお、説明は以下の順序で行う。
（１）第１の実施の形態
（２）第２の実施の形態
（３）第３の実施の形態
（４）他の実施の形態
【００１１】
（１）第１の実施の形態
（１−１）モノクロプリンタの内部構成
図１において、１は全体として第１の実施の形態によるモノクロプリンタを示す。モノクロプリンタ１は、長方形の普通紙やフィルム等のようなサイズや材質、厚み等が異なる複数種類の媒体２の表面に印刷画像を形成するものであり、例えば、図中の右端面が正面３Ａとなる略四角箱型のプリンタ筐体３を有している。因みに以下の説明では、モノクロプリンタ１を、プリンタ筐体３の正面３Ａと対峙して見た場合の図中に矢印ａ１で示すモノクロプリンタ１の上の方向を、プリンタ上方向とも呼び、これとは逆の方向を、プリンタ下方向とも呼び、これらを特に区別する必要がない場合は、まとめてプリンタ上下方向とも呼ぶ。また以下の説明では、モノクロプリンタ１を、プリンタ筐体３の正面３Ａと対峙して見た場合の図中に矢印ｂ１で示すモノクロプリンタ１の前の方向を、プリンタ前方向とも呼び、これとは逆の方向を、プリンタ後方向とも呼び、これらを特に区別する必要がない場合は、まとめてプリンタ前後方向とも呼ぶ。さらに以下の説明では、モノクロプリンタ１を、プリンタ筐体３の正面３Ａと対峙して見た場合の図中に矢印ｃ１で示すモノクロプリンタ１の左の方向を、プリンタ左方向とも呼び、これとは逆の方向を、プリンタ右方向とも呼び、これらを特に区別する必要がない場合は、まとめてプリンタ左右方向とも呼ぶ。さらにまた以下の説明では、媒体２において長辺に沿った方向を、媒体長手方向とも呼び、短辺に沿った方向を、媒体短手方向とも呼ぶ。プリンタ筐体３は、上面３Ｂの前端部に、液晶ディスプレイのような表示部と、複数の操作キーを有する操作部とから構成される操作パネル４が配置されている。またプリンタ筐体３は、上面３Ｂの後端部に、印刷画像が形成された媒体２を受け渡す媒体受渡部３ＢＸと、当該プリンタ筐体３内から媒体２を媒体受渡部３ＢＸへ排出する媒体排出口３ＢＹとが形成されている。
【００１２】
プリンタ筐体３内には、中央部に、媒体２の表面に印刷画像を形成するための画像形成部６が配置されている。画像形成部６は、画像形成ユニット７、露光部としてのＬＥＤ（Light  Emitting  Diode）ヘッド８、転写部としての転写ローラ９、及び定着部としての定着ユニット１０等を有している。画像形成ユニット７は、図中に矢印ｄ１で示す一回転方向へ回転可能に設けられた像担持体としての感光ドラム１１の表面に、帯電部としての帯電ローラ１２により所定の電位に帯電させたうえで、ＬＥＤヘッド８によって露光して静電潜像を形成すると共に、現像剤収容部としてのトナータンク１３から供給される現像剤としてのブラックのトナーにより現像剤供給部としての供給ローラ１４及び現像剤担持体としての現像ローラ１５を順次介して静電潜像を現像して現像剤画像としてのトナー画像を形成するものである。因みに、図中に矢印ｄ１で示す一回転方向は、プリンタ左右方向と平行な軸を中心とする回転方向である。そして以下の説明では、図中に矢印ｄ１で示す一回転方向を、第１順回転方向とも呼び、これとは逆の他回転方向を、第１逆回転方向とも呼び、これらを適宜まとめて第１両回転方向とも呼ぶ。転写ローラ９は、表面を感光ドラム１１の表面に所定の押圧力で押し付けた状態で第１逆回転方向へ回転可能に設けられ、所定の電圧値の電圧が印加された状態で、感光ドラム１１上のトナー画像を媒体２に転写するものである。定着ユニット１０は、ヒータ（図示せず）を内蔵する加熱ローラ１６が第１順回転方向へ回転可能に設けられると共に、加圧ローラ１７が表面を加熱ローラ１６の表面に所定の押圧力で押し付けた状態で第１逆回転方向へ回転可能に設けられ、当該加熱ローラ１６と加圧ローラ１７とにより媒体２を挟み込むようにして搬送しながら、当該媒体２の表面にトナー画像を加熱及び加圧して定着させて印刷画像を形成するものである。
【００１３】
またプリンタ筐体３内には、画像形成部６の下側となる下端部に、当該画像形成部６へ媒体２を供給する媒体供給部２０が設けられている。媒体供給部２０は、複数種類の媒体２を何れの種類のものも選択的に装填可能な媒体カセット２１と、当該媒体カセット２１を着脱可能に装着するためのカセット装着部３Ｃとを有している。媒体カセット２１は、上端が媒体２の装填用に開放され、カセット幅よりもカセット奥行きが長い略偏平箱型に形成されている。そして媒体カセット２１は、カセット奥行きに沿った方向（以下、これをカセット奥行方向とも呼ぶ）のカセット一端部に、カセット幅に沿った方向（以下、これをカセット幅方向とも呼ぶ）に長いカセット外装部２１Ａが設けられている。よって媒体カセット２１は、カセット奥行方向のカセット他端部寄りの凹部が、複数の媒体２を装填するための媒体装填部２１Ｂとなり、当該媒体装填部２１Ｂに複数の媒体２を積層した状態で載上するための媒体載上板２２がカセット高さに沿った方向（以下、これをカセット高方向とも呼ぶ）に昇降可能に設けられている。そして媒体カセット２１は、例えば、カセット幅方向の一側部及び他側部に一対のガイドレール（図示せず）がカセット奥行方向と平行に設けられている。カセット装着部３Ｃは、プリンタ筐体３の下端寄りに形成されたプリンタ前後方向に長い略偏平矩形状の空間であり、当該プリンタ筐体３の正面３Ａ下端部に形成された例えば、プリンタ左右方向に長い略長方形状の開口部３ＡＸを介して外部に開放されている。またプリンタ筐体３は、左側板及び右側板各々の内面下端部の対向位置に、カセット装着部３Ｃに入り込んで媒体カセット２１の一対のガイドレールと係合する複数対のガイドローラ（図示せず）が設けられている。これにより媒体カセット２１は、カセット外装部２１Ａの外装部表面２１ＡＸをプリンタ前方向に向けてカセット奥行方向をプリンタ前後方向と平行にし、かつカセット幅方向をプリンタ左右方向と平行にした姿勢で、プリンタ筐体３に対してカセット装着部３Ｃからモノクロプリンタ１の前側に引き出させるようにして離脱させ、またモノクロプリンタ１の前側からカセット装着部３Ｃに押し込むようにして装着可能なように設けられている。因みに以下の説明では、カセット装着部３Ｃから媒体カセット２１を離脱させるためにモノクロプリンタ１の前側へ移動させる方向（すなわち、この実施の形態の場合はプリンタ前方向）を適宜、離脱方向とも呼び、当該カセット装着部３Ｃに媒体カセット２１を装着させるためにモノクロプリンタ１の前側から移動させる方向（すなわち、この実施の形態の場合はプリンタ後方向）を適宜、装着方向とも呼ぶ。
【００１４】
そして媒体供給部２０には、カセット装着部３Ｃに媒体カセット２１を装着した状態でカセット一端部の真上近傍となる所定位置に、当該媒体カセット２１から媒体２を１枚ずつ繰り出すための繰出ローラ２３及びセパレータ２４が配置されている。また媒体供給部２０には、カセット装着部３Ｃに対する媒体カセット２１の着脱を検出するためのカセット着脱センサ２５が設けられると共に、媒体載上板２２と共に媒体２を所定の繰出位置まで上昇させたか否かを検出するための媒体上昇位置センサ２６も設けられている。さらに媒体供給部２０には、カセット装着部３Ｃに媒体カセット２１を装着した場合に、当該カセット装着部３Ｃに媒体カセット２１を保持するための所定のラッチ機構（図示せず）も設けられている。なおプリンタ筐体３内には、前下端部に、媒体カセット２１から繰り出される媒体２を画像形成部６へ搬送するための媒体供給用搬送路を形成する媒体供給用搬送部２８が設けられると共に、後上端部に、定着ユニット１０から繰り出される媒体２を媒体排出口３ＢＹへ搬送するための媒体排出用搬送路を形成する媒体排出用搬送部２９が設けられている。
【００１５】
（１−２）媒体カセットの構成
次いで、図２及び図３を用いて、媒体カセット２１の構成について説明する。図２及び図３に示すように、媒体カセット２１は、外装部表面２１ＡＸの中央部に、プリンタ筐体３のカセット装着部３Ｃに対する着脱のために手をかけさせる凹状の引手部２１ＡＢが形成されている。また媒体載上板２２は、上面の後端部に例えば、媒体載上範囲の奥行きをカセット外装部２１Ａの外装部内面２１ＡＹを基準として媒体２のサイズに合わせるようにカセット一端側へ狭め、またカセット他端側へ広げて規定するためのリアガイド３２がカセット奥行方向へ変位可能なように設けられている。さらに媒体載上板２２は、上面の左端部及び右端部に、媒体載上範囲の幅を媒体２のサイズに合わせるようにカセット幅方向の両側から狭め、また当該両側へ広げて規定するための一対のサイドガイド３３、３４がカセット幅方向へ互いに連動して変位可能なように設けられている。よって媒体カセット２１は、プリンタ筐体３のカセット装着部３Ｃから引き出された場合、媒体装填部２１Ｂに装填される媒体２のサイズに応じて、リアガイド３２及び一対のサイドガイド３３、３４を適宜変位させて、媒体載上範囲の奥行き及び幅を当該媒体２のサイズに合わせるように調整させることができる。これにより媒体カセット２１は、媒体載上板２２に同一サイズの複数の媒体２を、これらの一方の短辺（又は一方の長辺）を外装部内面２１ＡＹに当接させると共に、他方の短辺（又は他方の長辺）をリアガイド３２に当接させ、かつ一方及び他方の長辺（又は一方及び他方の短辺）を一対のサイドガイド３３、３４に当接させるようにして、積層した状態で揃えさせて載上させることができる。このようにして媒体カセット２１は、媒体２の種類に応じて、媒体載上板２２に複数の媒体２を、これらの媒体長手方向をカセット奥行方向と平行にして揃える縦置の状態で載上して媒体装填部２１Ｂに装填させ、又は媒体載上板２２に複数の媒体２を、これらの媒体長手方向をカセット幅方向と平行にして揃える横置の状態で載上して媒体装填部２１Ｂに装填させることができる。
【００１６】
また媒体カセット２１は、媒体装填部２１Ｂ内で媒体載上板２２を昇降させるための載上板昇降部３５が設けられている。載上板昇降部３５は、第１左側支柱３６及び第１右側支柱３７並びに第２左側支柱３８及び第２右側支柱３９を有すると共に、一対の円柱状の左側ケーブルガイド部４０及び右側ケーブルガイド部４１を有している。第１左側支柱３６及び第１右側支柱３７は、カセット底板部２１Ｃの左端部及び右端部（すなわち、カセット幅方向の一方の縁部及び他方の縁部）においてカセット一端側の所定の対向位置に植設されている。そして第１左側支柱３６及び第１右側支柱３７は、先端部に第１左側プーリ４３及び第１右側プーリ４４をそれぞれカセット幅方向と平行な図示しないシャフトを介して第１両回転方向へ回動可能に支持している。また第２左側支柱３８及び第２右側支柱３９は、カセット底板部２１Ｃの左端部及び右端部においてカセット他端側の所定の対向位置に植設されている。そして第２左側支柱３８及び第２右側支柱３９は、先端部に第２左側プーリ４５及び第２右側プーリ４６をそれぞれカセット幅方向と平行な図示しないシャフトを介して第１両回転方向へ回動可能に支持している。さらに左側ケーブルガイド部４０は、そのガイド部長手方向をカセット奥行方向と平行にした状態で、カセット外装部２１Ａの左下隅部及びカセット後壁部２１Ｄの左下隅部により、図中に矢印ｅ１で示す一回転方向及びこれとは逆の他回転方向へ回動可能に支持されている。因みに図中に矢印ｅ１で示す一回転方向は、カセット奥行方向と平行な（またプリンタ前後方向とも平行な）軸を中心とする回転方向である。そして以下の説明では、図中に矢印ｅ１で示す一回転方向を、第２順回転方向とも呼び、これとは逆の他回転方向を、第２逆回転方向とも呼び、これらを適宜まとめて第２両回転方向とも呼ぶ。また右側ケーブルガイド部４１は、そのガイド部長手方向をカセット奥行方向と平行にした状態で、カセット外装部２１Ａの右下隅部及びカセット後壁部２１Ｄの右下隅部により第２両回転方向へ回動可能に支持されている。
【００１７】
これに加えて載上板昇降部３５は、円柱状のホイール支持軸４８、ウォームホイール４９、ウォーム５０、円環状のケーブル巻取部５１等から構成される昇降駆動部５２も有している。ホイール支持軸４８は、カセット底板部２１Ｃの中央部にカセット高方向（またプリンタ上下方向）と平行にして植設されている。またウォームホイール４９は、ホイール支持軸４８の先端部に、カセット底板部２１Ｃから僅かに離隔した状態で当該ホイール支持軸４８を中心にして、図中に矢印ｆ１で示す一回転方向及びこれとは逆の他回転方向へ回動可能に支持されている。因みに図中に矢印ｆ１で示す一回転方向は、カセット高方向と平行な軸（すなわち、ホイール支持軸４８）を中心とする回転方向である。そして以下の説明では、図中に矢印ｆ１で示す一回転方向を、第３順回転方向とも呼び、これとは逆の他回転方向を、第３逆回転方向とも呼び、これらを適宜まとめて第３両回転方向とも呼ぶ。さらにケーブル巻取部５１は、外周面に一周に亘る４本の溝部が互いに平行な所定の間隔で形成され、ウォームホイール４９と一体にホイール支持軸４８を中心にして第３両回転方向へ回動可能なように当該ウォームホイール４９の上側の端面に固着されている。また昇降駆動部５２は、カセット底板部２１Ｃの中央部においてホイール支持軸４８の近傍に一対のウォーム支持部（図示せず）がカセット奥行方向に沿って所定の間隔で配置されている。さらにウォーム５０は、例えば、ウォーム長手方向のウォーム一端部及びウォーム他端部が円柱状に形成されると共に、中央部に螺旋状の歯が形成されている。
【００１８】
そしてウォーム５０は、ウォーム長手方向をカセット奥行方向と平行にして一対のウォーム支持部によりウォーム一端部及びウォーム他端部を介して第２両回転方向へ回動可能で、かつカセット奥行方向へ僅かに変位可能に支持され、中央部の歯をウォームホイール４９の歯に歯合させている。これにより昇降駆動部５２は、ウォームホイール４９及びウォーム５０により、当該ウォーム５０の第２順回転方向への回転に応じてウォームホイール４９を第３順回転方向へ回転させるウォームギヤを形成している。そして載上板昇降部３５は、第１左側ケーブル５５及び第２左側ケーブル５６並びに第１右側ケーブル５７及び第２右側ケーブル５８各々の一端部が互いに交差せずにケーブル巻取部５１の異なる溝部の底の所定位置に係止されている。また第１左側ケーブル５５及び第２左側ケーブル５６各々の他端部は、左側ケーブルガイド部４０の下を通して上側へ引き回されて第１左側プーリ４３及び第２左側プーリ４５に掛けられた後、媒体載上板２２の左端部のカセット一端側の所定位置及びカセット他端側の所定位置に係止されている。さらに第１右側ケーブル５７及び第２右側ケーブル５８各々の他端部は、右側ケーブルガイド部４１の下を通して上側へ引き回されて第１右側プーリ４４及び第２右側プーリ４６に掛けられた後、媒体載上板２２の右端部のカセット一端側の所定位置及びカセット他端側の所定位置に係止されている。
【００１９】
ところで、ウォーム５０は、ウォーム他端部（すなわち、後端部）に例えば、板状の突起部であるウォーム側嵌合部５０Ａが形成されている。またカセット底板部２１Ｃには、ウォーム５０のウォーム一端（すなわち、前端）と対向する位置にばね係止部（図示せず）が植設されている。そして昇降駆動部５２は、ばね係止部に圧縮コイルばね又は板ばねのようなウォーム付勢ばね（図示せず）の一端部が係止されると共に、当該ウォーム付勢ばねの他端部をウォーム一端に所定の押圧力で押し付けている。これにより昇降駆動部５２は、ウォーム付勢ばねによりウォーム５０を後側へ変位させるように付勢している。またプリンタ筐体３は、例えば、カセット装着部３Ｃの奥側に、後述する載上板駆動モータが配置され、当該載上板駆動モータのモータ出力軸に１又は複数のギヤ（図示せず）を介して連結された駆動力伝達軸６０をプリンタ前後方向と平行にして第２両回転方向へ回動可能に支持している。そして駆動力伝達軸６０は、プリンタ前方向に向いた伝達軸先端部に、ウォーム側嵌合部５０Ａに対応する例えば、スリットである伝達軸側嵌合部６０Ａが形成されている。さらに媒体カセット２１は、カセット後壁部２１Ｄにおいてウォーム他端との対向位置に軸挿通孔部（図示せず）が穿設されている。よって昇降駆動部５２は、プリンタ筐体３のカセット装着部３Ｃに媒体カセット２１が装着された場合、駆動力伝達軸６０の駆動軸先端部を軸挿通孔部に通して媒体装填部２１Ｂに入り込ませる。これにより昇降駆動部５２は、駆動軸先端にウォーム他端を押し付けるようにして、そのまま伝達軸側嵌合部６０Ａにウォーム側嵌合部５０Ａを勘合させ、又は載上板駆動モータの動作による駆動力伝達軸６０の回転に応じて伝達軸側嵌合部６０Ａにウォーム側嵌合部５０Ａを勘合させて、モータ出力軸に駆動力伝達軸６０を介してウォーム５０を連結することができる。
【００２０】
そして媒体カセット２１は、第１左側ケーブル５５及び第２左側ケーブル５６並びに第１右側ケーブル５７及び第２右側ケーブル５８各々の長さが適宜選定されている。また媒体カセット２１は、媒体載上板２２に対する第１左側ケーブル５５及び第２左側ケーブル５６並びに第１右側ケーブル５７及び第２右側ケーブル５８各々の他端部の係止位置が適宜選定されている。さらに媒体載上板２２は、ある程度の重さを有するように形成されている。さらにまたケーブル巻取部５１は、例えば、内部にホイール支持軸４８と係合して、第１左側ケーブル５５及び第２左側ケーブル５６並びに第１右側ケーブル５７及び第２右側ケーブル５８に撓まないように所定の張力を付与するトーションばねのような張力付与ばね（図示せず）が設けられている。そして媒体カセット２１には、例えば、外装部内面２１ＡＹ及びカセット後壁部２１Ｄに、媒体載上板２２の前端及び後端に突設された突起部（図示せず）と係合して当該媒体載上板２２の昇降をガイドする溝部である昇降ガイド部（図示せず）が形成されている。これにより媒体カセット２１は、媒体載上板２２をほぼ水平にしたまま、昇降駆動部５２と干渉させずにカセット底板部２１Ｃと近接させる下限位置から繰出ローラ２３の表面の下側部分と接触させる上限位置までの昇降範囲で昇降させることができる。
【００２１】
実際に載上板昇降部３５は、プリンタ筐体３のカセット装着部３Ｃに媒体カセット２１に装着された場合、載上板駆動モータが動作してモータ出力軸の回転が駆動力伝達軸６０を介してウォーム５０に伝達され、当該ウォーム５０が例えば、第２順回転方向へ回転すると、これに応じてウォームホイール４９と共にケーブル巻取部５１を第３順回転方向へ回転させる。これにより載上板昇降部３５は、ケーブル巻取部５１に第１左側ケーブル５５及び第２左側ケーブル５６並びに第１右側ケーブル５７及び第２右側ケーブル５８を巻き取るようにして媒体載上板２２を下限位置から上限位置側へ上昇させることができる。また載上板昇降部３５は、プリンタ筐体３のカセット装着部３Ｃから媒体カセット２１が離脱すると、伝達軸側嵌合部６０Ａからウォーム側嵌合部５０Ａが離隔してモータ出力軸とウォーム５０との連結が解除される。よって載上板昇降部３５では、それまで載上板駆動モータのモータ出力軸から伝達軸側嵌合部６０Ａ及びウォーム側嵌合部５０Ａを順次介してウォームホイール４９と共にケーブル巻取部５１に作用していた第２逆回転方向への回転を抑制させる回転抑制力が何ら作用しなくなる。そして載上板昇降部３５では、媒体載上板２２の自重により、第１左側ケーブル５５及び第２左側ケーブル５６並びに第１右側ケーブル５７及び第２右側ケーブル５８の他端部が下側へ引っ張られている。このため載上板昇降部３５は、ケーブル巻取部５１を第３逆回転方向へ回転させながら、当該ケーブル巻取部５１から第１左側ケーブル５５及び第２左側ケーブル５６並びに第１右側ケーブル５７及び第２右側ケーブル５８を繰り出す。これにより載上板昇降部３５は、媒体載上板２２を上限位置側から下限位置まで下降させることができる。また載上板昇降部３５は、この際、張力付与ばねより第１左側ケーブル５５及び第２左側ケーブル５６並びに第１右側ケーブル５７及び第２右側ケーブル５８に張力を付与したまま媒体載上板２２を徐々に下降させて、当該媒体載上板２２が下限位置まで急激に下降して衝撃が加わり破損することを防止している。
【００２２】
（１−３）モノクロプリンタの回路構成
次いで、図４を用いて、モノクロプリンタ１の回路構成について説明する。モノクロプリンタ１は、例えば、マイクロプロセッサ構成の制御部６５を有し、当該制御部６５に、インタフェース部６６を介して外部のホストコンピュータのような上位装置（図示せず）が接続されると共に、上述した操作パネル４の操作部６７及び表示部６８が接続されている。また制御部６５には、基本プログラムや第１設定画面表示制御処理プログラム等の各種プログラムが予め記憶され、また印刷画像形成用の種々の情報等も記憶されるハードディスクドライブ又は半導体メモリのような記憶部６９が接続されると共に、例えば、予め設定された互いに異なる第１の所定時間（以下、これを第１設定時間とも呼ぶ）及び第２の所定時間（以下、これを第２設定時間とも呼ぶ）を計時する複数の第１タイマ及び第２タイマを有する計時部７０も接続されている。さらに制御部６５には、上述したカセット着脱センサ２５、媒体上昇位置センサ２６及び載上板駆動モータ７１が接続されると共に、繰出ローラ２３を駆動するための繰出モータ７２や画像形成部６も接続されている。そして制御部６５は、記憶部６９から読み出した各種プログラムに従って、モノクロプリンタ１全体を制御すると共に、所定の演算処理や、上位装置から与えられる制御コマンド及び操作部６７を介して入力される操作コマンドに応じた各種処理を実行する。
【００２３】
これにより制御部６５は、カセット着脱センサ２５により、プリンタ筐体３のカセット装着部３Ｃから媒体カセット２１が引き出されて離脱したことを検出すると、これに応じて記憶部６９から予め記憶された媒体設定画面データを読み出して表示部６８に媒体設定画面（図示せず）を表示する。なお媒体設定画面は、印刷画像の形成用に媒体カセット２１に装填される媒体２の種類（すなわち、サイズ、材質及び厚み等）や媒体カセット２１に対する装填向き（すなわち、媒体載上板２２への媒体２の縦置きや横置きのような載上の向き）等を設定するための媒体設定情報の入力を案内するためのものである。よって制御部６５は、媒体設定画面による案内に従い操作部６７を介して媒体２に関する媒体設定情報が入力されると、これを媒体設定データとして記憶部６９に送出して記憶する。また制御部６５は、カセット着脱センサ２５により、プリンタ筐体３のカセット装着部３Ｃに媒体カセット２１（すなわち、１又は複数の媒体２が装填された媒体カセット２１）が装着されたことを検出すると、載上板駆動モータ７１を動作させて、媒体カセット２１において載上板昇降部３５を介して媒体載上板２２を上昇させる。そして制御部６５は、媒体上昇位置センサ２６により、媒体載上板２２に積層した状態で載上されている複数の媒体２のうち最も上に位置する媒体（以下、これを特に最上位媒体とも呼ぶ）２が昇降範囲の上限位置に到達したことを検出すると、載上板駆動モータ７１の動作を一旦停止させる。これにより制御部６５は、最上位媒体２を繰出ローラ２３に押し付ける。
【００２４】
この状態で制御部６５は、上位装置から送信された印刷データ、及び印刷画像の形成を指示する制御コマンドを、インタフェース部６６を介して取り込むと、画像形成処理を実行する。この際、制御部６５は、記憶部６９から媒体設定データを読み出し、当該媒体設定データに基づいて画像形成部６を駆動制御することで、画像形成部６を媒体カセット２１に装填された媒体２の種類や装填向き等に応じて印刷画像が形成可能な状態に立ち上げる。また制御部６５は、特に図示していないが、媒体設定データに基づいて媒体供給用搬送部２８及び媒体排出用搬送部２９を駆動制御することで、当該媒体供給用搬送部２８及び媒体排出用搬送部２９を媒体カセット２１に装填された媒体２を種類や装填向き等に応じた搬送速度で搬送可能なように立ち上げる。そのうえで制御部６５は、繰出モータ７２を動作させて繰出ローラ２３を回転させることで、媒体カセット２１から繰出ローラ２３により１枚の媒体２（すなわち、最上位媒体２）を繰り出し、媒体供給用搬送路を介して画像形成部６へ搬送する。また制御部６５は、画像形成部６への媒体２の搬送中の所定のタイミングで、印刷データに基づき当該画像形成部６（すなわち、ＬＥＤヘッド８）を駆動制御し始めることで、画像形成ユニット７において上述したように感光ドラム１１の表面にトナー画像を形成し始める。
【００２５】
よって制御部６５は、画像形成部６へ搬送した媒体２を引き続き感光ドラム１１及び転写ローラ９によって搬送しながら、当該感光ドラム１１上のトナー画像を媒体２の表面に転写する。次いで制御部６５は、定着ユニット１０により媒体２を搬送しながら加熱及び加圧して当該媒体２の表面にトナー画像を定着させるようにしてモノクロの印刷画像を形成する。そして制御部６５は、定着ユニット１０から表面に印刷画像を形成して繰り出した媒体２を、媒体排出用搬送路を介して媒体排出口３ＢＹまで搬送して媒体受渡部３ＢＸへ排出する。このようにして制御部６５は、媒体カセット２１に装填される媒体２の表面にモノクロの印刷画像を形成することができる。なお制御部６５は、複数の媒体２に連続して印刷画像を形成する場合、媒体カセット２１から１枚の媒体２（すなわち、最上位媒体２）を繰り出す毎に、載上板駆動モータ７１を間欠的に動作させる。これにより制御部６５は、媒体カセット２１において載上板昇降部３５を介して媒体載上板２２を僅かに上昇させて、新たな最上位媒体２を繰出ローラ２３に押し付ける。よって制御部６５は、繰出ローラ２３により媒体カセット２１から複数の媒体２を常に同一の繰出条件で１枚ずつ繰り出して画像形成部６へ搬送して、当該媒体２の表面にモノクロの印刷画像を形成することができる。
【００２６】
ところでモノクロプリンタ１では、プリンタ筐体３のカセット装着部３Ｃから媒体カセット２１が引き出されて、当該媒体カセット２１に媒体２が装填されている。このため制御部６５は、上述したようにカセット着脱センサ２５により、カセット装着部３Ｃから媒体カセット２１が離脱したことを検出すると、これに応じて表示部６８に媒体設定画面を表示している。ただしモノクロプリンタ１では、媒体カセット２１に対する媒体２の装填の有無や、装填されている媒体２の装填量（すなわち、大まかな枚数）及び種類等を確認するためにカセット装着部３Ｃから媒体カセット２１が引き出される場合がある。そしてモノクロプリンタ１では、媒体カセット２１に装填されている媒体２の種類や装填量、装填向き等を確認しただけで、特に媒体２を補充することなく、また装填する媒体２を他の種類のものに変更することがなければ、媒体カセット２１に１又は複数の媒体２が装填される場合に比して、カセット装着部３Ｃに対し媒体カセット２１が離脱時点から格段的に短い時間で再び装着されている。このため制御部６５は、カセット着脱センサ２５により、カセット装着部３Ｃから媒体カセット２１が離脱したことを検出すると、その時点で計時部７０の第１タイマを一旦リセットして、予め選定された例えば、５乃至１０秒のような格段的に短い所定の第１設定時間までの計時を開始する。因みに第１設定時間は、例えば、カセット装着部３Ｃから媒体カセット２１が引き出された離脱時点から、当該媒体カセット２１に装填されている媒体２の種類や装填量、装填向き等を確認しただけで、カセット装着部３Ｃに媒体カセット２１が再び押し込まれた装着時点までに要する時間の平均値をもとにして、当該平均値よりも僅かに長い所定の時間に選定されている。よって制御部６５は、第１タイマにより計時している時間（以下、これを第１タイマ計時時間とも呼ぶ）が第１設定時間に達する前に、カセット着脱センサ２５により、カセット装着部３Ｃに媒体カセット２１が装着されたことを検出すると、媒体カセット２１が装填されている媒体２を確認しただけでカセット装着部３Ｃに再び装着されたため、媒体２の設定を変更する必要がないものとして表示部６８に媒体設定画面を表示しない。
【００２７】
これに対して制御部６５は、第１タイマ計時時間が第１設定時間に達しても、カセット着脱センサ２５により、カセット装着部３Ｃから媒体カセット２１が離脱したままであることを検出している（すなわち、カセット装着部３Ｃに媒体カセット２１が装着されない）と、媒体カセット２１に媒体２が補充され、又は改めて媒体２が装填された（すなわち、離脱前とは異なる種類の媒体２が装填され、又は離脱前と同一の種類の媒体２が装填向きを換えて装填された）可能性があるため、表示部６８に媒体設定画面を表示する。これにより制御部６５は、ユーザに媒体設定画面による案内に従い操作部６７を介して媒体２に関する媒体設定情報を入力させることができ、そのうえで操作部６７を介して表示の終了が指示されると、これに応じて表示部６８に対する媒体設定画面の表示を終了する。因みに制御部６５は、例えば、媒体カセット２１に媒体２が補充されたことで、カセット装着部３Ｃに媒体カセット２１が装着される前に第１タイマ計時時間が第１設定時間に達すると、この場合も表示部６８に媒体設定画面を表示することになる。しかしながら制御部６５は、この際、媒体設定画面による案内に従い操作部６７を介して表示の終了が指示されると、これに応じて表示部６８に対する媒体設定画面の表示を終了することができる。
【００２８】
また制御部６５は、表示部６８に媒体設定画面を表示した後、操作部６７が何ら操作されないまま、カセット着脱センサ２５により、カセット装着部３Ｃに媒体カセット２１が装着されたことを検出すると、その時点で計時部７０の第２タイマを一旦リセットして、予め第１設定時間よりも長く選定された例えば、３０秒のような所定の第２設定時間までの計時を開始する。そして制御部６５は、第２タイマにより計時している時間（以下、これを第２タイマ計時時間とも呼ぶ）が第２設定時間に達する前に、ユーザにより媒体設定画面による案内に従い操作部６７を介して媒体２に関する媒体設定情報が入力され、そのうえで操作部６７を介して表示の終了が指示されると、これに応じて表示部６８に対する媒体設定画面の表示を終了する。これに対して制御部６５は、操作部６７が何ら操作されないまま、第２タイマ計時時間が第２設定時間に達すると、その時点に表示部６８に対する媒体設定画面の表示を自動的に終了する。すなわち制御部６５は、媒体カセット２１に装填されている媒体２の媒体設定情報を、当該媒体カセット２１の着脱の前後で特に変更する必要がない場合、操作部６７を介して表示の終了を指示させなくても、第２タイマ計時時間が第２設定時間に達すると、これに応じて表示部６８に対する媒体設定画面の表示を自動的に終了することができる。このようにして制御部６５は、カセット装着部３Ｃに対する媒体カセット２１の着脱に応じて適宜、媒体設定情報を入力させて印刷画像の形成に用いる媒体２の種類や媒体カセット２１に対する装填向き等を設定することができる。なお制御部６５は、このようなカセット装着部３Ｃに対する媒体カセット２１の着脱時のみならず、ユーザにより操作部６７を介して媒体設定画面の表示が要求されたときにも、表示部６８に媒体設定画面を表示して媒体設定情報を入力させることができる。よって制御部６５は、例えば、印刷画像の形成に用いる媒体２の種類や媒体カセット２１に対する装填向き等を誤って設定している場合でも、任意のタイミングで媒体設定情報を入力させ直して設定を改めることができる。
【００２９】
（１−４）第１設定画面表示制御処理手順
次いで、図５に示すフローチャートを用いて、制御部６５が実行する第１設定画面表示制御処理手順ＲＴ１について説明する。制御部６５は、例えば、操作部６７の起動操作に応じてモノクロプリンタ１を起動すると、記憶部６９から読み出した第１設定画面表示制御処理プログラムに従って、図５に示す第１設定画面表示制御処理手順ＲＴ１を開始する。制御部６５は、第１設定画面表示制御処理手順ＲＴ１を開始すると、ステップＳＰ１においてプリンタ筐体３のカセット装着部３Ｃから媒体カセット２１が引き出されて離脱したか否かを判別するようにして、当該カセット装着部３Ｃから媒体カセット２１が引き出されることを待ち受ける。そしてステップＳＰ１において制御部６５は、カセット着脱センサ２５により、カセット装着部３Ｃから媒体カセット２１が引き出されて離脱したことを検出して肯定結果を得ると、次のステップＳＰ２に移る。ステップＳＰ２において制御部６５は、第１タイマを一旦リセットしたうえで当該第１タイマによる計時を開始して、次のステップＳＰ３に移る。ステップＳＰ３において制御部６５は、プリンタ筐体３のカセット装着部３Ｃに媒体カセット２１が装着されたか否かを判別して、カセット着脱センサ２５により、カセット装着部３Ｃから媒体カセット２１が離脱したままであることを検出して否定結果を得ると、次のステップＳＰ４に移る。ステップＳＰ４において制御部６５は、第１タイマ計時時間が第１設定時間に達したか否かを判別して、当該第１タイマ計時時間が第１設定時間に達してはいないために否定結果を得ると、ステップＳＰ３に戻る。これにより制御部６５は、この後、ステップＳＰ３及びステップＳＰ４の何れか一方で肯定結果を得るまでの間、当該ステップＳＰ３及びステップＳＰ４の処理を循環的に繰り返し実行して、カセット装着部３Ｃに媒体カセット２１が装着されること、また第１タイマ計時時間が第１設定時間に達することを待ち受ける。
【００３０】
そしてステップＳＰ３において制御部６５は、第１タイマ計時時間が第１設定時間に達する前にカセット着脱センサ２５により、カセット装着部３Ｃに媒体カセット２１が装着されたことを検出して肯定結果を得ると、ステップＳＰ５に移る。これによりステップＳＰ５において制御部６５は、第１タイマによる計時を停止して、ステップＳＰ１に戻る。このようにして制御部６５は、カセット装着部３Ｃに対して媒体カセット２１が引き出されて離脱しても、その離脱時点から比較的早い時点に再び装着されると、当該媒体カセット２１に装填されている媒体２の種類や装填向きが何ら変更されていないために媒体２の設定を変更する必要がないものと判断して、表示部６８に媒体設定画面を表示しない。これに対してステップＳＰ４において制御部６５は、カセット装着部３Ｃに媒体カセット２１が装着されないまま、第１タイマ計時時間が第１設定時間に達して肯定結果を得ると、ステップＳＰ６に移る。そしてステップＳＰ６において制御部６５は、記憶部６９から媒体設定画面データを読み出して表示部６８に媒体設定画面を表示した後、次のステップＳＰ７に移る。このようにして制御部６５は、媒体カセット２１がカセット装着部３Ｃに対して離脱時点から第１設定時間を経過しても装着されていないと、当該媒体カセット２１に装填される媒体２の種類や装填向きが変更された可能性が比較的高いために媒体２の設定が変更される可能性があると判断して、表示部６８に媒体設定画面を表示する。
【００３１】
ステップＳＰ７において制御部６５は、表示部６８に対する媒体設定画面の表示の終了が指示されたか否かを判別して、操作部６７を介して媒体設定画面の表示の終了が指示されていないために否定結果を得ると、次のステップＳＰ８に移る。ステップＳＰ８において制御部６５は、プリンタ筐体３のカセット装着部３Ｃに媒体カセット２１が装着されたか否かを判別して、カセット着脱センサ２５により、カセット装着部３Ｃから媒体カセット２１が離脱したままであることを検出して否定結果を得ると、ステップＳＰ７に戻る。これにより制御部６５は、この後、ステップＳＰ７及びステップＳＰ８の何れか一方で肯定結果を得るまでの間、当該ステップＳＰ７及びステップＳＰ８の処理を循環的に繰り返し実行して、媒体設定画面の表示の終了が指示されること、またカセット装着部３Ｃに媒体カセット２１が装着されることを待ち受ける。
【００３２】
そしてステップＳＰ７において制御部６５は、カセット装着部３Ｃに媒体カセット２１が装着される前に、ユーザにより操作部６７を介して適宜、媒体設定画面の内容に従い媒体設定情報が入力され、当該媒体設定画面の表示の終了が指示されたために肯定結果を得ると、ステップＳＰ９に移る。よってステップＳＰ９において制御部６５は、表示部６８に対する媒体設定画面の表示を終了した後（すなわち、媒体設定画面の表示を消した後）、次のステップＳＰ１０に移って第１設定画面表示制御処理手順ＲＴ１を終了する。このようにして制御部６５は、例えば、媒体カセット２１に装填する媒体２の種類や装填向きが何ら変更されていないものの、媒体２の補充によりカセット装着部３Ｃに対する媒体カセット２１の装着に手間取っているような場合に、表示部６８に媒体設定画面を表示すると、カセット装着部３Ｃに媒体カセット２１を装着する前であっても、操作部６７を介して媒体設定情報を特には入力させずに媒体設定画面の表示の終了を指示させて、当該表示を終了することができる。また制御部６５は、例えば、媒体カセット２１に装填する媒体２の種類や装填向きが変更されている途中で、表示部６８に媒体設定画面を表示すると、カセット装着部３Ｃに媒体カセット２１を装着する前であっても、この際に媒体カセット２１に装填する媒体２の種類や装填向きに応じて操作部６７を介して新たな媒体設定情報を入力させたうえで、媒体設定画面の表示の終了を指示させて、当該表示を終了することができる。これに対してステップＳＰ８において制御部６５は、媒体設定画面の表示の終了が指示される前に、カセット着脱センサ２５により、カセット装着部３Ｃに媒体カセット２１が装着されたことを検出して肯定結果を得ると、ステップＳＰ１１に移る。このようにして制御部６５は、例えば、表示部６８に媒体設定画面を表示している状態で、離脱前とは種類の異なる媒体２が装填され、又は媒体２が装填向きを換えて装填された媒体カセット２１がカセット装着部３Ｃに装着されると、ユーザに媒体カセット２１に装填した媒体２の種類や装填向きに応じて操作部６７を介して新たな媒体設定情報を入力させることができる。また制御部６５は、表示部６８に媒体設定画面を表示したものの、既に装填されていた媒体２の装填量や種類、装填向きが確認され、媒体２の補充によりカセット装着部３Ｃに対する媒体カセット２１の装着に手間取っていた場合は、操作部６７を介して媒体設定情報を特には入力させずに媒体設定画面の表示の終了を指示させることができる。
【００３３】
ただしステップＳＰ１１において制御部６５は、第２タイマを一旦リセットしたうえで当該第２タイマによる計時を開始して、次のステップＳＰ１２に移る。ステップＳＰ１２３において制御部６５は、表示部６８に対する媒体設定画面の表示の終了が指示されたか否かを判別して、操作部６７を介して媒体設定画面の表示の終了が指示されていないために否定結果を得ると、次のステップＳＰ１３に移る。ステップＳＰ１３において制御部６５は、第２タイマ計時時間が第２設定時間に達したか否かを判別して、当該第２タイマ計時時間が第２設定時間に達してはいないために否定結果を得ると、ステップＳＰ１２に戻る。これにより制御部６５は、この後、ステップＳＰ１２及びステップＳＰ１３の何れか一方で肯定結果を得るまでの間、当該ステップＳＰ１２及びステップＳＰ１３の処理を循環的に繰り返し実行して、媒体設定画面の表示の終了が指示されること、また第２タイマ計時時間が第２設定時間に達することを待ち受ける。そしてステップＳＰ１２において制御部６５は、第２タイマ計時時間が第２設定時間に達する前に、ユーザにより操作部６７を介して適宜、媒体設定画面の内容に従い媒体設定情報が入力され、当該媒体設定画面の表示の終了が指示されたために肯定結果を得ると、ステップＳＰ１４に移る。よってステップＳＰ１４において制御部６５は、第２タイマによる計時を停止してステップＳＰ９に移り、表示部６８に対する媒体設定画面の表示を終了した後、次のステップＳＰ１０に移って第１設定画面表示制御処理手順ＲＴ１を終了する。これに対してステップＳＰ１３において制御部６５は、媒体設定画面の表示の終了が指示される前に、第２タイマ計時時間が第２設定時間に達して肯定結果を得ると、ステップＳＰ９に移る。そしてステップＳＰ９において制御部６５は、ユーザに操作部６７を介して媒体設定画面の表示の終了を特に指示させることなく、表示部６８に対する媒体設定画面の表示を自動的に終了した後、次のステップＳＰ１０に移って第１設定画面表示制御処理手順ＲＴ１を終了する。
【００３４】
ところで制御部６５は、例えば、モノクロプリンタ１の起動に応じて第１設定画面表示制御処理手順ＲＴ１を開始するが、モノクロプリンタ１の動作中（すなわち、通電中）は、当該第１設定画面表示制御処理手順ＲＴ１が終了すると、再び第１設定画面表示制御処理手順ＲＴ１を開始する。このようにして制御部６５は、モノクロプリンタ１の動作中、第１設定画面表示制御処理手順ＲＴ１を繰り返し実行して、カセット装着部３Ｃから媒体カセット２１が引き出される毎に適宜、表示部６８に媒体設定画面を表示して媒体設定情報を入力させることができる。
【００３５】
（１−５）第１の実施の形態の動作及び効果
以上の構成において、モノクロプリンタ１の制御部６５は、カセット着脱センサ２５により、プリンタ筐体３のカセット装着部３Ｃから媒体カセット２１が引き出されて離脱したことを検出すると、第１タイマにより計時を開始する。そしてモノクロプリンタ１の制御部６５は、第１タイマ計時時間が比較的短い第１設定時間に達する前に、カセット着脱センサ２５によりカセット装着部３Ｃに媒体カセット２１が装着されたことを検出すると、この際には表示部６８に媒体設定画面を表示しない。以上の構成によれば、モノクロプリンタ１は、ユーザにより媒体カセット２１に装填されている媒体２の種類や装填量、装填向き等を確認するために、プリンタ筐体３のカセット装着部３Ｃに対し媒体カセット２１が一旦引き出された後、押し込むようにして再び装着された場合、表示部６８に媒体設定画面を表示することを回避することができ、その結果、ユーザに対して媒体設定画面の表示を終了させるために操作部６７を操作させ、また自動的に表示が終了するまで待たせるような煩わしさから開放することができる。これによりモノクロプリンタ１は、使い勝手を向上させることができる。
【００３６】
そしてモノクロプリンタ１の制御部６５は、プリンタ筐体３のカセット装着部３Ｃに媒体カセット２１が装着される前に、第１タイマ計時時間が第１設定時間に達すると、表示部６８に媒体設定画面を表示するようにした。これによりモノクロプリンタ１は、プリンタ筐体３のカセット装着部３Ｃから媒体カセット２１が引き出されて、装填する媒体２の種類や装填向きが変更された場合、ユーザに対して表示部６８に媒体設定画面を表示させるための操作を何ら行わせることなく、当該媒体設定画面を自動的に表示して媒体設定情報の入力を案内することができ、使い勝手をさらに向上させることができる。
【００３７】
（２）第２の実施の形態
（２−１）モノクロプリンタの構成
次いで、図１との対応部分に同一符号を付した図６を用いて、第２の実施の形態によるモノクロプリンタ８０の構成について説明する。モノクロプリンタ８０は、媒体カセット８１の一部構成と、後述する制御部が実行する一部処理を除いて、上述した第１の実施の形態によるモノクロプリンタ１と同様に構成されている。媒体カセット８１は、カセット外装部８１Ａに、媒体装填部２１Ｂに装填した媒体２の種類及び装填向きを選択させるための後述する選択操作子と、当該選択操作子を介した選択された媒体２の種類及び装填向きを検出するための後述する選択種類検出器とが設けられたことを除いて、上述した第１の実施の形態による媒体カセット２１と同様に構成されている。
【００３８】
（２−２）媒体カセットの構成
図２との対応部分に同一符号を付した図７に示すように、媒体カセット８１は、カセット外装部８１Ａにおいて外装部表面８１ＡＸの中央部に、第１の実施の形態による媒体カセット２１と同様に引手部８１ＡＢが形成されている。また媒体カセット８１は、カセット外装部８１Ａにおいて外装部表面２１ＡＸの右上端部の所定位置に、カセット幅方向（すなわち、プリンタ左右方向）に長い長方形状の名称露出孔部８１ＡＣが穿設されている。さらに媒体カセット８１は、カセット外装部８１Ａにおいて外装部上面の右端部の所定位置に、カセット奥行方向（すなわち、プリンタ前後方向）に長い長方形状のダイヤル露出孔部８１ＡＤが穿設されている。そして図７と共に図８に示すように、媒体カセット８１は、カセット外装部８１Ａ内の右上端部に、選択操作子８２及び選択種類検出器８３が収納されている。選択操作子８２は、略円柱状の操作子本体８２Ａを有しており、当該操作子本体８２Ａの一端部が、媒体装填部２１Ｂに装填された媒体２の種類及び装填向きを選択させるための媒体種類選択部８２ＡＸになっている。媒体種類選択部８２ＡＸは、表面が周方向に沿って操作子長手方向に長い略長方形の複数の種類名表示領域に区分されている。そして媒体種類選択部８２ＡＸは、個々の種類名表示領域に例えば、媒体２の名称やサイズ、装填向き等を表現する文字列が、選択可能な媒体２の種類及び装填向きを表す媒体種類名として表示されている。
【００３９】
また操作子本体８２Ａは、他端部が、媒体種類選択部８２ＡＸを介して選択された媒体２の種類及び装填向きを通知するための選択媒体通知部８２ＡＹになっている。選択媒体通知部８２ＡＹは、媒体種類選択部８２ＡＸの種類名表示領域毎の横の種類通知部位に例えば、媒体２の種類及び装填向きを示す合計で３つの凹部や凸部が所定の組み合わせ及び並びで操作子長手方向に沿って形成されている。そして選択媒体通知部８２ＡＹは、種類名表示領域に表示された媒体種類名に対応する種類通知部位が、当該種類名表示領域の配置位置から第１順回転方向へ９０度ずれて位置している。さらに操作子本体８２Ａは、一端に、当該操作子本体８２Ａよりも一回り太い円盤状の操作ダイヤル８２Ｂが固着されている。そして選択操作子８２は、操作ダイヤル８２Ｂの端面の中央部及び操作子本体８２Ａの他端面の中央部に一対の支持軸８２Ｃ、８２Ｄが垂設されている。よって選択操作子８２は、カセット外装部８１Ａにより操作子長手方向をカセット幅方向と平行にした姿勢で、一対の支持軸８２Ｃ、８２Ｄを介して第１両回転方向へ回動可能に支持されている。これにより選択操作子８２は、カセット外装部８１Ａのダイヤル露出孔部８１ＡＤから操作ダイヤル８２Ｂの上側部分を回転操作用に突出させ、当該操作ダイヤル８２Ｂに対する回転操作に応じて操作子本体８２Ａを第１順回転方向や第１逆回転方向へ回転させることができる。また選択操作子８２は、カセット外装部８１Ａの名称露出孔部８１ＡＣを介して、媒体種類選択部８２ＡＸの最も前側に位置する１の種類名表示領域上の媒体種類名を外部から目視可能なように露出させている。よって選択操作子８２は、操作ダイヤル８２Ｂに対する回転操作に応じて操作子本体８２Ａを回転させると、名称露出孔部８１ＡＣを介して目視される媒体種類名を切り換えることができる。これにより選択操作子８２は、名称露出孔部８１ＡＣを介して目視される１の媒体種類名として、媒体カセット８１に装填された媒体２の種類及び装填向きを選択させることができる。
【００４０】
また選択種類検出器８３は、３個のプッシュスイッチ（以下、これらを第１乃至第３スイッチとも呼ぶ）８３Ａ乃至８３Ｃを有している。第１乃至第３スイッチ８３Ａ乃至８３Ｃは、各々の押ボタン部８３ＡＸ乃至８３ＣＸの先端を、選択媒体通知部８２ＡＹの最も下側に位置する１の種類通知部位と対向させた状態で、カセット幅方向に沿って一列に並べられて配置されている。これにより第１乃至第３スイッチ８３Ａ乃至８３Ｃは、押ボタン部８３ＡＸ乃至８３ＣＸの先端をそれぞれ、種類通知部位の操作子長手方向（すなわち、カセット幅方向）に並ぶ合計で３つの凹部や凸部と１対１で対向させている。そして図９に示すように、第１乃至第３スイッチ８３Ａ乃至８３Ｃは、押ボタン部８３ＡＸ乃至８３ＣＸが種類通知部位の凸部と対向した場合、当該凸部により押ボタン部８３ＡＸ乃至８３ＣＸが押されてオン状態になる。これにより第１乃至第３スイッチ８３Ａ乃至８３Ｃは、オン状態を示す論理「Ｈ」レベルの検出信号を出力する。また第１乃至第３スイッチ８３Ａ乃至８３Ｃは、押ボタン部８３ＡＸ乃至８３ＣＸが種類通知部位の凹部と対向した場合、当該凹部に押ボタン部８３ＡＸ乃至８３ＣＸの先端が入り込むことで押ボタン部８３ＡＸ乃至８３ＣＸが何ら押されずにオフ状態になる。これにより第１乃至第３スイッチ８３Ａ乃至８３Ｃは、オフ状態を示す論理「Ｌ」レベルの検出信号を出力する。このようにして選択種類検出器８３は、選択操作子８２の回転操作により選択された媒体種類名を、第１乃至第３スイッチ８３Ａ乃至８３Ｃにより種類通知部位を介して検出する。そして選択種類検出器８３は、第１乃至第３スイッチ８３Ａ乃至８３Ｃから、検出した媒体種類名を論理「Ｈ」レベルの検出信号や論理「Ｌ」レベルの検出信号の組み合わせで示す合計で３つの検出信号を出力することができる。
【００４１】
実際に選択種類検出器８３は、第１乃至第３スイッチ８３Ａ乃至８３Ｃと電気的に接続されたカセット側コネクタ（図示せず）を有し、例えば、媒体カセット８１においてカセット後壁部２１Ｄの外面の所定位置に当該カセット側コネクタが取り付けられている。またプリンタ筐体３は、例えば、カセット装着部３Ｃの奥側に、カセット側コネクタに対応するプリンタ側コネクタ（図示せず）が配置され、当該プリンタ側コネクタがプリンタ筐体３内の後述する制御部に電気的に接続されている。よって選択種類検出器８３は、プリンタ筐体３のカセット装着部３Ｃに媒体カセット８１が装着された場合、カセット側コネクタをプリンタ側コネクタと電気的及び機械的に接続して、第１乃至第３スイッチ８３Ａ乃至８３Ｃを制御部と電気的に接続している。これにより選択種類検出器８３は、カセット装着部３Ｃに媒体カセット８１が装着された場合、第１乃至第３スイッチ８３Ａ乃至８３Ｃを制御部からの通電によって動作させて、選択操作子８２の回転操作により選択されていた媒体種類名を検出することができる。そして選択種類検出器８３は、第１乃至第３スイッチ８３Ａ乃至８３Ｃから検出結果を示す３つの検出信号を制御部に送出することができる。このようにして選択種類検出器８３は、制御部に対し３つの検出信号の論理「Ｈ」レベルや論理「Ｌ」レベルの組み合わせにより、選択操作子８２の回転操作により選択されていた媒体種類名を通知することができる。
【００４２】
（２−３）モノクロプリンタの回路構成
次いで、図４との対応部分に同一符号を付した図１０を用いて、モノクロプリンタ８０の回路構成について説明する。モノクロプリンタ８０は、例えば、マイクロプロセッサ構成の制御部８５と、第１の実施の形態による第１設定画面表示制御処理プログラムとは一部記述内容の異なる第２設定画面表示制御処理プログラムが予め記憶されたハードディスクドライブ又は半導体メモリのような記憶部８６とを有している。そしてモノクロプリンタ８０は、制御部８５に選択種類検出器８３が接続され、当該制御部８５が第２設定画面表示制御処理プログラムに従い第１設定画面表示制御処理手順ＲＴ１とは一部処理の異なる第２設定画面表示制御処理手順を実行することを除いて、上述した第１の実施の形態によるモノクロプリンタ１と同様に構成されている。この場合、制御部８５は、例えば、媒体カセット８１に装填されている媒体２の種類及び装填向きを示す媒体種類名を検出するため、記憶部８６に図９に示したような選択操作子８２を介して選択可能な複数の媒体種類名と、当該媒体種類名が選択された場合の第１乃至第３スイッチ８３Ａ乃至８３Ｃ各々のオンオフの状態とを対応付けて示すデータテーブル（以下、これを媒体種類検出用テーブルとも呼ぶ）を予め記憶している。また制御部８５は、カセット着脱センサ２５によりカセット装着部３Ｃから媒体カセット８１が離脱したことを検出すると、上述した第１の実施の形態による制御部６５と同様に第１タイマによる計時を開始する。そして制御部８５は、第１タイマ計時時間が第１設定時間に達する前に、カセット着脱センサ２５により、カセット装着部３Ｃに媒体カセット８１が装着されたことを検出すると、上述したように選択種類検出器８３の第１乃至第３スイッチ８３Ａ乃至８３Ｃを動作させて、当該第１乃至第３スイッチ８３Ａ乃至８３Ｃから送出される３つの検出信号を取り込む。これにより制御部８５は、３つの検出信号各々の信号レベルと、媒体種類検出用テーブルとに基づき、媒体カセット８１に装填されている媒体２の種類及び装填向きを示す媒体種類名を検出する。
【００４３】
ところで、制御部８５は、カセット装着部３Ｃに対する媒体カセット８１の初回の着脱では、これよりも前に媒体種類名を検出していないため、記憶部８６に自身の検出した媒体種類名を記憶していない。ただし制御部８５は、カセット装着部３Ｃに対する媒体カセット８１の２回目以降の着脱では、媒体種類名を検出すると、当該検出した媒体種類名を示す媒体種類名情報を、次回の媒体カセット８１の着脱時における媒体設定画面の表示制御用として記憶部８６に記憶している。因みに制御部８５は、媒体カセット８１の着脱に応じて媒体種類名を検出したときに、記憶部８６に既に前回の媒体カセット８１の着脱で検出した媒体種類名を媒体種類名情報として記憶していると、今回検出した媒体種類名を媒体設定画面の表示の制御に用いた後、記憶部８６において既に記憶している媒体種類名情報に、今回検出した媒体種類名を示す媒体種類名情報を上書きしている。このようにして制御部８５は、記憶部８６に過去の直近で検出した１の媒体種類名を示す媒体種類名情報を媒体設定画面の表示制御用として記憶し、当該媒体設定画面の表示の制御に用いた後は、最新のものに更新している。因みに以下の説明では、制御部８５がカセット装着部３Ｃに媒体カセット８１が装着されたときに検出した媒体種類名を、今回媒体種類名とも呼び、カセット装着部３Ｃに対する媒体カセット８１の前回の装着（すなわち、１回前の装着）で検出していた媒体種類名を、前回媒体種類名とも呼ぶ。よって制御部８５は、第１タイマ計時時間が第１設定時間に達する前に、カセット装着部３Ｃに媒体カセット８１が装着されて今回媒体種類名を検出すると、記憶部８６から前回媒体種類名を示す媒体種類名情報を読み出す。そして制御部８５は、今回媒体種類名と前回媒体種類名とを比較して、今回媒体種類名が前回媒体種類名とは異なるように変更されているか否かを判別する。その結果、制御部８５は、今回媒体種類名が前回媒体種類名と同一であると、媒体２の設定を変更する必要がないために表示部６８に媒体設定画面を表示しない。すなわち制御部８５は、カセット装着部３Ｃに装着された媒体カセット８１に装填されている媒体２の種類や装填向きが何ら変更されていないものと判断して、媒体設定画面を表示しない。
【００４４】
これに対して制御部８５は、今回媒体種類名が前回媒体種類名とは異なると、媒体２の設定を変更する必要があると判断して表示部６８に媒体設定画面を表示する。すなわち、制御部８５は、媒体カセット８１に改めて媒体２が装填された（すなわち、離脱前とは異なる種類の媒体２が装填され、又は離脱前と同一の種類の媒体２が装填向きを換えて装填された）可能性があるため、表示部６８に媒体設定画面を表示する。これにより制御部８５は、ユーザに媒体設定画面による案内に従い操作部６７を介して媒体２に関する媒体設定情報を入力させることができ、そのうえで操作部６７を介して表示の終了が指示されると、これに応じて表示部６８に対する媒体設定画面の表示を終了する。因みに制御部８５は、例えば、カセット装着部３Ｃに対する媒体カセット８１の着脱の際に操作ダイヤル８２Ｂに手が触れる等して選択操作子８２が誤って回転操作されていると、表示部６８に媒体設定画面を表示することになる。しかしながら制御部８５は、この際、ユーザにより媒体設定画面による案内に従い操作部６７を介して表示の終了が指示されると、これに応じて表示部６８に対する媒体設定画面の表示を終了することができる。
【００４５】
また制御部８５は、第１タイマ計時時間が第１設定時間に達しても、カセット着脱センサ２５により、カセット装着部３Ｃから媒体カセット８１が離脱したままであることを検出していると、媒体カセット８１に媒体２が補充され、又は改めて媒体２が装填された可能性があるため、表示部６８に媒体設定画面を表示する。これにより制御部８５は、ユーザに媒体設定画面による案内に従い操作部６７を介して媒体２に関する媒体設定情報を入力させることができ、そのうえで操作部６７を介して表示の終了が指示されると、これに応じて表示部６８に対する媒体設定画面の表示を終了する。ところで制御部８５は、表示部６８に媒体設定画面を表示して適宜、媒体設定情報を入力させた後に当該媒体設定画面の表示を終了した際、例えば、カセット装着部３Ｃに媒体カセット８１が装着され、既に今回媒体種類名を検出していると、これを次回の媒体カセット８１の着脱時に媒体設定画面の表示の制御に用いる前回媒体種類名として、当該前回媒体種類名を示す媒体種類名情報を記憶部８６に記憶する。これに対して制御部８５は、カセット装着部３Ｃに媒体カセット８１が装着されていないまま、媒体設定画面を表示して適宜、媒体設定情報を入力させた後に当該媒体設定画面の表示を終了すると、カセット装着部３Ｃに媒体カセット８１が装着されることを待ち受ける。そして制御部８５は、カセット着脱センサ２５により、カセット装着部３Ｃに媒体カセット８１が装着されたことを検出すると、上述と同様に今回媒体種類名を検出し、前回媒体種類名を示す媒体種類名情報として記憶部８６に記憶する。
【００４６】
さらに制御部８５は、カセット装着部３Ｃに媒体カセット８１が装着されていない状態で表示部６８に媒体設定画面を表示した場合、操作部６７が何ら操作されないまま、カセット着脱センサ２５により、カセット装着部３Ｃに媒体カセット８１が装着されたことを検出すると、上述と同様に今回媒体種類名を検出し、前回媒体種類名を示す媒体種類名情報として記憶部８６に記憶する。そして制御部８５は、上述した第１の実施の形態による制御部６５と同様に第２タイマによる計時を開始する。これに対して制御部８５は、カセット装着部３Ｃに媒体カセット８１が装着された状態で表示部６８に媒体設定画面を表示すると、既に検出していた今回媒体種類名を前回媒体種類名として、当該前回媒体種類名を示す媒体種類名情報を記憶部８６に記憶する。そして制御部８５は、上述した第１の実施の形態による制御部６５と同様に第２タイマによる計時を開始する。因みに制御部８５は、第２タイマによる計時を開始すると、この後は上述した第１の実施の形態による制御部６５と同様に処理する。このようにして制御部８５は、カセット装着部３Ｃに対する媒体カセット８１の着脱に応じて適宜、媒体設定情報を入力させて印刷画像の形成に用いる媒体２の種類や媒体カセット８１に対する装填向き等を設定することができる。なお第２実施の形態においても制御部８５は、カセット装着部３Ｃに対する媒体カセット８１の着脱時のみならず、ユーザにより操作部６７を介して媒体設定画面の表示が要求されると、表示部６８に媒体設定画面を表示して媒体設定情報を入力させることができる。よって制御部８５は、例えば、印刷画像の形成に用いる媒体２の種類や媒体カセット８１に対する装填向き等を誤って設定している場合でも、任意のタイミングで媒体設定情報を入力させ直して設定を改めることができる。
【００４７】
（２−４）第２設定画面表示制御処理手順
次いで、図５との対応部分に同一符号を付した図１１及び図１２に示すフローチャートを用いて、制御部８５が実行する第２設定画面表示制御処理手順ＲＴ２について説明する。制御部８５は、例えば、操作部６７の起動操作に応じてモノクロプリンタ８０を起動すると、記憶部８６から読み出した第２設定画面表示制御処理プログラムに従って、図１１及び図１２に示す第２設定画面表示制御処理手順ＲＴ２を開始する。制御部８５は、第２設定画面表示制御処理手順ＲＴ２を開始すると、ステップＳＰ１及びステップＳＰ２の処理を順次実行した後、ステップＳＰ３及びステップＳＰ４の処理を循環的に繰り返し実行する。そしてステップＳＰ４において制御部８５は、カセット装着部３Ｃに媒体カセット８１が装着されないまま、第１タイマ計時時間が第１設定時間に達すると、次のステップＳＰ６に移る。これに対してステップＳＰ３において制御部８５は、第１タイマ計時時間が第１設定時間に達する前に、カセット着脱センサ２５により、カセット装着部３Ｃに媒体カセット８１が装着されたことを検出すると、ステップＳＰ５の処理を実行した後、次のステップＳＰ２１に移る。ステップＳＰ２１において制御部８５は、選択種類検出器８３の第１乃至第３スイッチ８３Ａ乃至８３Ｃから与えられる３つの検出信号と、媒体種類検出用テーブルとに基づいて、媒体カセット８１に装填されている媒体２の種類及び装填向きを示す媒体種類名を検出して、次のステップＳＰ２２に移る。ステップＳＰ２２において制御部８５は、記憶部８６から媒体種類名情報を読み出して今回媒体種類名と前回媒体種類名とを比較し、その比較結果に基づいて、今回媒体種類名が前回媒体種類名とは異なるように変更されているか否かを判別する。そしてステップＳＰ２２において制御部８５は、今回媒体種類名が前回媒体種類名と同一であるために肯定結果を得ると、表示部６８に媒体設定画面を表示せずにステップＳＰ１に戻る。またステップＳＰ２２において制御部８５は、今回媒体種類名が前回媒体種類名とは異なるために否定結果を得ると、ステップＳＰ６に移る。
【００４８】
ステップＳＰ６において制御部８５は、表示部６８に媒体設定画面を表示すると、引き続きステップＳＰ７及びステップＳＰ８の処理を循環的に繰り返し実行する。そしてステップＳＰ７において制御部８５は、操作部６７を介して適宜、媒体設定画面の内容に従い媒体設定情報が入力され、当該媒体設定画面の表示の終了が指示されたために肯定結果を得ると、ステップＳＰ２３に移って、表示部６８に対する媒体設定画面の表示を終了した後（すなわち、媒体設定画面の表示を消した後）、次のステップＳＰ２４に移る。ステップＳＰ２４において制御部８５は、今回媒体種類名を既に検出しているか否かを判別する。この際、ステップＳＰ２４において制御部８５は、ステップＳＰ４の処理を実行した後、ステップＳＰ６の処理を実行し、引き続きステップＳＰ７の処理を実行していると、カセット装着部３Ｃには未だ媒体カセット８１が装着されていないため、今回媒体種類名を検出していないことで否定結果を得て、次のステップＳＰ２５に移る。そしてステップＳＰ２５において制御部８５は、カセット装着部３Ｃに媒体カセット８１が装着されることを待ち受け、カセット着脱センサ２５により、カセット装着部３Ｃに媒体カセット８１が装着されたことを検出すると、次のステップＳＰ２６に移る。これによりステップＳＰ２６において制御部８５は、選択種類検出器８３の第１乃至第３スイッチ８３Ａ乃至８３Ｃから与えられる３つの検出信号と、媒体種類検出用テーブルとに基づいて、媒体カセット８１に装填されている媒体２の種類及び装填向きを示す媒体種類名を検出して、次のステップＳＰ２７に移る。よってステップＳＰ２７において制御部８５は、今回媒体種類名を次回の媒体カセット８１の着脱時に媒体設定画面の表示の制御に用いる前回媒体種類名として、当該前回媒体種類名を示す媒体種類名情報を記憶部８６に記憶した後、ステップＳＰ２８に移って第２設定画面表示制御処理手順ＲＴ２を終了する。これに対してステップＳＰ２４において制御部８５は、ステップＳＰ２２の処理を実行した後、ステップＳＰ６の処理を実行し、引き続きステップＳＰ７の処理を実行していると、今回媒体種類名を検出していることで肯定結果を得て、ステップＳＰ２７に移る。そしてステップＳＰ２７において制御部８５は、その今回媒体種類名を前回媒体種類名とし、当該前回媒体種類名を示す媒体種類名情報を記憶部８６に記憶した後、ステップＳＰ２８に移って第２設定画面表示制御処理手順ＲＴ２を終了する。
【００４９】
またステップＳＰ８において制御部８５は、ステップＳＰ２２の処理を実行した後、ステップＳＰ６及びステップＳＰ７の処理を順次実行していると、カセット装着部３Ｃに媒体カセット８１が装着されているために肯定結果を得て、次のステップＳＰ２９に移る。そしてステップＳＰ２９において制御部８５は、今回媒体種類名を検出しているか否かを判別する。この際、ステップＳＰ２９において制御部８５は、ステップＳＰ２１において今回媒体種類名を既に検出しているために肯定結果を得て、ステップＳＰ３０に移る。よってステップＳＰ３０において制御部８５は、今回媒体種類名を前回媒体種類名とし、当該前回媒体種類名を示す媒体種類名情報を記憶部８６に記憶した後、次のステップＳＰ１１に移る。これに対してステップＳＰ８において制御部８５は、ステップＳＰ４の処理を実行した後、ステップＳＰ６及びステップＳＰ７の処理を順次実行しており、カセット着脱センサ２５により、カセット装着部３Ｃに媒体カセット８１が装着されたことを検出して肯定結果を得ても、次のステップＳＰ２９に移る。ただしステップＳＰ２９において制御部８５は、この際、まだ今回媒体種類名を検出していなかったために否定結果を得て、ステップＳＰ３１に移る。よってステップＳＰ３１において制御部８５は、選択種類検出器８３の第１乃至第３スイッチ８３Ａ乃至８３Ｃから与えられる３つの検出信号と、媒体種類検出用テーブルとに基づいて、媒体カセット８１に装填されている媒体２の種類及び装填向きを示す媒体種類名を検出した後、ステップＳＰ３０の処理を実行して、次のステップＳＰ１１に移る。そして制御部８５は、引き続きステップＳＰ１１乃至１４及びステップＳＰ９の処理を適宜実行した後、ステップＳＰ２８に移って第２設定画面表示制御処理手順ＲＴ２を終了する。因みに第２の実施の形態による制御部８５も、上述した第１の実施の形態による制御部６５と同様に例えば、モノクロプリンタ８０の起動に応じて第２設定画面表示制御処理手順ＲＴ２を開始するが、モノクロプリンタ８０の動作中（すなわち、通電中）は、当該第２設定画面表示制御処理手順ＲＴ２が終了すると、再び第２設定画面表示制御処理手順ＲＴ２を開始する。このようにして制御部８５は、モノクロプリンタ８０の動作中、第２設定画面表示制御処理手順ＲＴ２を繰り返し実行して、カセット装着部３Ｃから媒体カセット８１が引き出される毎に適宜、表示部６８に媒体設定画面を表示して媒体設定情報を入力させることができる。
【００５０】
（２−５）第２の実施の形態の動作及び効果
以上の構成において、モノクロプリンタ８０では、媒体カセット８１に、これに装填される媒体２の種類及び装填向きを媒体種類名として選択させるための選択操作子８２と、当該選択操作子８２に対する回転操作によって選択された媒体種類名を検出するための選択種類検出器８３とを設けた。そしてモノクロプリンタ８０の制御部８５は、プリンタ筐体３のカセット装着部３Ｃに対し媒体カセット８１が一旦引き出されて離脱した後、装着されると、選択種類検出器８３により検出された媒体種類名を前回媒体種類名として記憶部８６に記憶する。そのうえでモノクロプリンタ８０の制御部８５は、カセット着脱センサ２５により、プリンタ筐体３のカセット装着部３Ｃから媒体カセット８１が再び引き出されて離脱したことを検出すると、第１タイマにより計時を開始する。そしてモノクロプリンタ８０の制御部８５は、第１タイマ計時時間が第１設定時間に達する前に、カセット着脱センサ２５によりカセット装着部３Ｃに媒体カセット２１が装着されたことを検出すると、このとき選択種類検出器８３により検出された媒体種類名を今回媒体種類名として、記憶部８６に記憶していた前回媒体種類名と比較する。その結果、モノクロプリンタ８０の制御部８５は、今回媒体種類名と前回媒体種類名とが一致すると、表示部６８に媒体設定画面を表示しない。以上の構成によれば、モノクロプリンタ８０は、ユーザにより媒体カセット８１に装填されている媒体２の種類や装填量、装填向き等を確認するために、プリンタ筐体３のカセット装着部３Ｃに対し媒体カセット８１が一旦引き出された後、押し込むようにして再び装着された場合、今回媒体種類名と前回媒体種類名とを比較することで、カセット装着部３Ｃに対する媒体カセット８１の着脱が媒体２を確認するためであったことを的確に確認して、表示部６８に媒体設定画面を表示することを回避することができる。これによりモノクロプリンタ８０は、カセット装着部３Ｃに対し媒体カセット８１が媒体２の確認のために着脱された場合、ユーザに対して媒体設定画面の表示を終了させるために操作部６７を操作させ、また自動的に表示が終了するまで待たせるような煩わしさから確実に開放して、使い勝手をさらに向上させることができる。
【００５１】
そしてモノクロプリンタ８０は、第１タイマ計時時間が第１設定時間に達する前に、カセット装着部３Ｃに媒体カセット２１が装着されて今回媒体種類名と前回媒体種類名とを比較した際、これらが一致しないと、表示部６８に媒体設定画面を表示するようにした。これによりモノクロプリンタ８０は、プリンタ筐体３のカセット装着部３Ｃから媒体カセット２１が引き出されて例えば、装填する媒体２の種類や装填向きが素早く変更されたような場合、表示部６８に媒体設定画面を表示させるための操作を何ら行わせることなく、当該媒体設定画面を自動的に表示して媒体設定情報の入力を案内することができ、使い勝手をさらに向上させることができる。
【００５２】
（３）第３の実施の形態
（３−１）モノクロプリンタの構成
次いで、図１との対応部分に同一符号を付した図１３を用いて、第３の実施の形態によるモノクロプリンタ９０の構成について説明する。モノクロプリンタ９０は、後述する制御部が実行する一部処理を除いて、上述した第１の実施の形態によるモノクロプリンタ１と同様に構成されている。よって以下には、第３の実施の形態によるモノクロプリンタ９０の回路構成と共に制御部が実行する処理について説明し、これ以外の構成については、図１を用いて上述した第１の実施の形態によるモノクロプリンタ１の構成を参照することとして、ここでの説明は省略する。
【００５３】
（３−２）モノクロプリンタの回路構成
次いで、図４との対応部分に同一符号を付した図１４を用いて、モノクロプリンタ９０の回路構成について説明する。モノクロプリンタ９０は、例えば、マイクロプロセッサ構成の制御部９１と、第１の実施の形態による第１設定画面表示制御処理プログラムとは一部記述内容の異なる第３設定画面表示制御処理プログラムが予め記憶されたハードディスクドライブ又は半導体メモリのような記憶部９２とを有している。そしてモノクロプリンタ９０は、制御部９１が第３定画面表示制御処理プログラムに従い第１設定画面表示制御処理手順ＲＴ１とは一部処理の異なる第３設定画面表示制御処理手順を実行することを除いて、上述した第１の実施の形態によるモノクロプリンタ１と同様に構成されている。この場合、媒体カセット２１は、プリンタ筐体３のカセット装着部３Ｃから引き出されて離脱すると、上述したように媒体載上板２２が自重によって昇降範囲の下限位置まで下降する。よって制御部９１は、カセット着脱センサ２５により、カセット装着部３Ｃに媒体カセット２１が装着されたことを検出すると、上述したように載上板駆動モータ７１を動作させることで、媒体載上板２２を昇降範囲の下限位置から上昇させて最上位媒体２を繰出ローラ２３に押し付ける。このとき制御部９１は、媒体カセット２１に対する媒体２の大まかな装填量を載上板駆動モータ７１のモータ駆動量として検出し、当該モータ駆動量を示すモータ駆動量情報を記憶部９２に記憶している。因みにモータ駆動量は、例えば、載上板駆動モータ７１がパルスモータであると、載上板昇降部３５を上昇させるために当該載上板駆動モータ７１に与えたパルス数である。またモータ駆動量は、例えば、載上板駆動モータ７１が回転検出器を有する直流モータであると、載上板昇降部３５を上昇させるために当該載上板駆動モータ７１を動作させた際に回転検出器を介して検出したモータ出力軸の回転回数である。
【００５４】
またモノクロプリンタ９０では、カセット装着部３Ｃに対する媒体カセット２１の装着時点から離脱時点までの間、媒体カセット２１から媒体２を繰り出すと、その分、媒体２の装填量が減少する。このため制御部９１は、媒体載上板２２を昇降範囲の下限位置から上昇させた後、上述したように媒体カセット２１からの媒体２の繰り出しに応じて、載上板駆動モータ７１をさらに動作させて媒体載上板２２を上昇させると、記憶部９２から既に記憶しているモータ駆動量情報を読み出す。そして制御部９１は、記憶部９２から読み出したモータ駆動量情報が示すモータ駆動量に、載上板駆動モータ７１をさらに動作させた際のモータ駆動量を加算し、得られた加算結果（すなわち、モータ駆動量の合計）を新たなモータ駆動量情報として記憶部９２に記憶する。このようにして制御部９１は、カセット装着部３Ｃに対する媒体カセット２１の装着時点から離脱時点までの間、媒体カセット２１から媒体２を繰り出と変化する装填量を示すように、載上板駆動モータ７１を動作させる毎にモータ駆動量を検出して順次加算する。そして制御部９１は、その加算結果を示すモータ駆動量情報を、次回の媒体カセット２１の着脱時における媒体設定画面の表示制御用として記憶部９２に記憶している。因みに制御部９１は、記憶部９２にモータ駆動量情報を記憶する際、当該記憶部９２に既にモータ駆動量情報を記憶していると、記憶部９２において既に記憶しているモータ駆動量情報に、新たなモータ駆動処理情報を上書きすることで、モータ駆動量情報を最新のモータ駆動量を示すものに更新している。なお以下の説明では、カセット装着部３Ｃに対する媒体カセット２１の装着時点から離脱時点までの間に適宜更新して記憶したモータ駆動量情報（すなわち、装着時点から離脱時点までの間に最終的に記憶したモータ駆動量情報）が示すモータ駆動量を、離脱前モータ駆動量とも呼ぶ。また以下の説明では、カセット装着部３Ｃに媒体カセット２１が装着されたことで、媒体載上板２２を昇降範囲の下限位置から最上位媒体２を繰出ローラ２３に押し付ける位置まで上昇させるために載上板駆動モータ７１を動作させたときのモータ駆動量を、特に装着時モータ駆動量とも呼ぶ。
【００５５】
実際に制御部９１は、カセット着脱センサ２５によりカセット装着部３Ｃから媒体カセット２１が離脱したことを検出すると、上述した第１の実施の形態による制御部６５と同様に第１タイマによる計時を開始する。そして制御部９１は、第１タイマ計時時間が第１設定時間に達する前に、カセット着脱センサ２５により、カセット装着部３Ｃに媒体カセット２１が装着されたことを検出すると、載上板駆動モータ７１を動作させる。これにより制御部９１は、媒体載上板２２を昇降範囲の下限位置から最上位媒体２を繰出ローラ２３に押し付ける位置まで上昇させて、このときの載上板駆動モータ７１のモータ駆動量を、装着時モータ駆動量として検出する。また制御部９１は、記憶部９２からモータ駆動量情報を読み出して、装着時モータ駆動量を当該モータ駆動量情報が示す離脱前モータ駆動量と比較する。すなわち制御部９１は、例えば、離脱前モータ駆動量から装着時モータ駆動量を減算し、得られた差分の絶対値を駆動量差分として求める。そして制御部９１は、駆動量差分が予め選定された比較的狭い規定範囲内の値であるか否かを判別する。その結果、制御部９１は、駆動量差分が規定範囲内であると、媒体カセット２１に対する媒体２の装填量が当該媒体カセット２１の着脱の前後で変化していないため、媒体カセット２１に装填されている媒体２の種類及び装填向きが着脱の前後で変更されていないものと判断して、表示部６８に媒体設定画面を表示しない。すなわち制御部９１は、この際の媒体カセット２１の着脱が当該媒体カセット２１に装填されている媒体２を確認するためのものであり、媒体２の設定を特に変更する必要がないものとして、媒体設定画面を表示しない。そして制御部９１は、このとき検出した装着時モータ駆動量を新たな離脱前モータ駆動量として、当該離脱前モータ駆動量を示すモータ駆動量情報を記憶部９２に記憶する。
【００５６】
これに対して制御部９１は、駆動量差分が規定範囲外であると、媒体カセット２１に対する媒体２の装填量が当該媒体カセット２１の着脱の前後で大幅に変化しているため、媒体カセット２１に装填されている媒体２の種類及び装填向きが着脱の前後で変更されている可能性があるものと判断して、表示部６８に媒体設定画面を表示する。これにより制御部９１は、媒体設定画面による案内に従い操作部６７を介して媒体２に関する媒体設定情報を入力させることができ、そのうえで操作部６７を介して表示の終了が指示されると、これに応じて表示部６８に対する媒体設定画面の表示を終了する。また制御部９１は、第１タイマ計時時間が第１設定時間に達しても、カセット着脱センサ２５により、カセット装着部３Ｃから媒体カセット２１が離脱したままであることを検出していると、媒体カセット２１に媒体２が補充され、又は改めて媒体２が装填された可能性があるため、表示部６８に媒体設定画面を表示する。これにより制御部９１は、媒体設定画面による案内に従い操作部６７を介して媒体２に関する媒体設定情報を入力させることができ、そのうえで操作部６７を介して表示の終了が指示されると、これに応じて表示部６８に対する媒体設定画面の表示を終了する。ところで制御部９１は、媒体設定画面を表示して適宜、媒体設定情報を入力させた後に当該媒体設定画面の表示を終了した際、例えば、カセット装着部３Ｃに媒体カセット２１が装着されており、媒体載上板２２を上昇させていると、このとき検出した装着時モータ駆動量を新たな離脱前モータ駆動量として、当該離脱前モータ駆動量を示すモータ駆動量情報を記憶部９２に記憶する。これに対して制御部９１は、カセット装着部３Ｃに媒体カセット２１が装着されていないまま、媒体設定画面を表示して適宜、媒体設定情報を入力させた後に当該媒体設定画面の表示を終了すると、カセット装着部３Ｃに媒体カセット２１が装着されることを待ち受ける。そして制御部９１は、カセット着脱センサ２５により、カセット装着部３Ｃに媒体カセット２１が装着されたことを検出すると、上述と同様に媒体載上板２２を上昇させて装着時モータ駆動量を検出する。そのうえで制御部９１は、このとき検出した装着時モータ駆動量を新たな離脱前モータ駆動量として、当該離脱前モータ駆動量を示すモータ駆動量情報を記憶部９２に記憶する。
【００５７】
さらに制御部９１は、カセット装着部３Ｃに媒体カセット２１が装着されていない状態で表示部６８に媒体設定画面を表示した場合、操作部６７が何ら操作されないまま、カセット着脱センサ２５により、カセット装着部３Ｃに媒体カセット２１が装着されたことを検出すると、上述と同様に媒体載上板２２を上昇させて装着時モータ駆動量を検出する。そのうえで制御部９１は、このとき検出した装着時モータ駆動量を新たな離脱前モータ駆動量として、当該離脱前モータ駆動量を示すモータ駆動量情報を記憶部９２に記憶する。そして制御部９１は、上述した第１の実施の形態による制御部６５と同様に第２タイマによる計時を開始する。これに対して制御部９１は、カセット装着部３Ｃに媒体カセット２１が装着された状態で表示部６８に媒体設定画面を表示すると、既に検出していた装着時モータ駆動量を新たな離脱前モータ駆動量として、当該離脱前モータ駆動量を示すモータ駆動量情報を記憶部９２に記憶する。そして制御部９１は、上述した第１の実施の形態による制御部６５と同様に第２タイマによる計時を開始する。因みに制御部９１は、第２タイマによる計時を開始すると、この後は上述した第１の実施の形態による制御部６５と同様に処理する。このようにして制御部９１は、カセット装着部３Ｃに対する媒体カセット２１の着脱に応じて適宜、媒体設定情報を入力させて印刷画像の形成に用いる媒体２の種類や媒体カセット２１に対する装填向き等を設定することができる。なお第３実施の形態においても制御部９１は、カセット装着部３Ｃに対する媒体カセット２１の着脱時のみならず、操作部６７を介して媒体設定画面の表示が要求されると、表示部６８に媒体設定画面を表示して媒体設定情報を入力させることができる。よって制御部９１は、例えば、印刷画像の形成に用いる媒体２の種類や媒体カセット２１に対する装填向き等を誤って設定している場合でも、任意のタイミングで媒体設定情報を入力させ直して設定を改めることができる。
【００５８】
（３−３）第３設定画面表示制御処理手順
次いで、図５との対応部分に同一符号を付した図１５及び図１６に示すフローチャートを用いて、制御部９１が実行する第３設定画面表示制御処理手順ＲＴ３について説明する。制御部９１は、例えば、操作部６７の起動操作に応じてモノクロプリンタ９０を起動すると、記憶部９２から読み出した第３設定画面表示制御処理プログラムに従って、図１５及び図１６に示す第３設定画面表示制御処理手順ＲＴ３を開始する。制御部９１は、第３設定画面表示制御処理手順ＲＴ３を開始すると、ステップＳＰ１の処理を実行し、カセット装着部３Ｃに媒体カセット２１が装着されているために否定結果を得ると、ステップＳＰ４１に移る。ステップＳＰ４１において制御部９１は、媒体カセット２１の媒体載上板２２を上昇させたか否かを判別する。この際、ステップＳＰ４１において制御部９１は、媒体カセット２１の媒体載上板２２を特に上昇させていないために否定結果を得ると、ステップＳＰ１に戻る。これにより制御部９１は、この後、ステップＳＰ１及びステップＳＰ４１の何れか一方で肯定結果を得るまでの間、当該ステップＳＰ１及びステップＳＰ４１の処理を循環的に繰り返し実行して、カセット装着部３Ｃから媒体カセット２１が引き出されて離脱すること、また媒体カセット２１の媒体載上板２２を上昇させることを待ち受ける。そしてステップＳＰ４１において制御部９１は、媒体カセット２１からの媒体２の繰り出しに応じて載上板駆動モータ７１を動作させて媒体載上板２２を上昇させたために肯定結果を得ると、次のステップＳＰ４２に移る。ステップＳＰ４２において制御部９１は、記憶部９２からモータ駆動量情報を読み出し、当該モータ駆動量情報が示す離脱前モータ駆動量に、このときの載上板駆動モータ７１のモータ駆動量を加算して新たな離脱前モータ駆動量を求めると共に、当該求めた新たな離脱前モータ駆動量を示すモータ駆動量情報を記憶部９２に記憶した後、ステップＳＰ１に戻る。このようにして制御部９１は、カセット装着部３Ｃから媒体カセット２１が引き出されて離脱するまでの間、載上板駆動モータ７１を動作させて媒体載上板２２を上昇させる毎に、離脱前モータ駆動量を順次累積するようにして記憶部９２に記憶するモータ駆動量情報を更新する。
【００５９】
またステップＳＰ１において制御部９１は、カセット着脱センサ２５により、カセット装着部３Ｃから媒体カセット２１が引き出されて離脱したことを検出したために肯定結果を得ると、次のステップＳＰ２の処理を実行した後、ステップＳＰ３及びステップＳＰ４の処理を循環的に繰り返し実行する。そしてステップＳＰ４において制御部９１は、カセット装着部３Ｃに媒体カセット２１が装着されないまま、第１タイマ計時時間が第１設定時間に達すると、次のステップＳＰ６に移る。これに対してステップＳＰ３において制御部９１は、第１タイマ計時時間が第１設定時間に達する前に、カセット着脱センサ２５により、カセット装着部３Ｃに媒体カセット２１が装着されたことを検出すると、ステップＳＰ５の処理を実行した後、次のステップＳＰ４３に移る。ステップＳＰ４３において制御部９１は、載上板駆動モータ７１を動作させて媒体カセット２１の媒体載上板２２を昇降範囲の下限位置から最上位媒体２を繰出ローラ２３に押し付ける位置まで上昇させて、このときの載上板駆動モータ７１のモータ駆動量を、装着時モータ駆動量として検出した後、次のステップＳＰ４４に移る。ステップＳＰ４４において制御部９１は、記憶部９２からモータ駆動量情報を読み出して、装着時モータ駆動量を当該モータ駆動量情報が示す離脱前モータ駆動量と比較して、次のステップＳＰ４５に移る。よってステップＳＰ４５において制御部９１は、駆動量差分が規定範囲内であるか否かを判別する。その結果、ステップＳＰ４５において制御部９１は、駆動量差分が規定範囲内の値であるために肯定結果を得ると、次のステップＳＰ４６に移る。そしてステップＳＰ４６において制御部９１は、表示部６８に媒体設定画面を表示せずに、装着時モータ駆動量を新たな離脱前モータ駆動量として、当該離脱前モータ駆動量を示すモータ駆動量情報を記憶部９２に記憶した後、ステップＳＰ１に戻る。またステップＳＰ４５において制御部９１は、駆動量差分が規定範囲外の値であるために否定結果を得ると、ステップＳＰ６に移る。
【００６０】
ステップＳＰ６において制御部９１は、表示部６８に媒体設定画面を表示すると、引き続きステップＳＰ７及びステップＳＰ８の処理を循環的に繰り返し実行する。そしてステップＳＰ７において制御部９１は、操作部６７を介して適宜、媒体設定画面の内容に従い媒体設定情報が入力され、当該媒体設定画面の表示の終了が指示されたために肯定結果を得ると、ステップＳＰ４７に移って、表示部６８に対する媒体設定画面の表示を終了した後（すなわち、媒体設定画面の表示を消した後）、次のステップＳＰ４８に移る。ステップＳＰ４８において制御部９１は、媒体カセット２１の媒体載上板２２を昇降範囲の下限位置から上昇させているか否かを判別する。この際、ステップＳＰ４８において制御部９１は、ステップＳＰ４の処理を実行した後、ステップＳＰ６の処理を実行し、引き続きステップＳＰ７の処理を実行していると、カセット装着部３Ｃには未だ媒体カセット２１が装着されていないため、媒体載上板２２を上昇させていないことで否定結果を得て、次のステップＳＰ４９に移る。そしてステップＳＰ４９において制御部９１は、カセット装着部３Ｃに媒体カセット２１が装着されることを待ち受け、カセット着脱センサ２５により、カセット装着部３Ｃに媒体カセット２１が装着されたことを検出すると、次のステップＳＰ５０に移る。これによりステップＳＰ５０において制御部９１は、載上板駆動モータ７１を動作させて媒体カセット２１の媒体載上板２２を昇降範囲の下限位置から最上位媒体２を繰出ローラ２３に押し付ける位置まで上昇させて装着時モータ駆動量を検出した後、次のステップＳＰ５１に移る。よってステップＳＰ５１において制御部９１は、その装着時モータ駆動量を新たな離脱前モータ駆動量として、当該離脱前モータ駆動量を示すモータ駆動量情報を記憶部９２に記憶した後、ステップＳＰ５２に移って第３設定画面表示制御処理手順ＲＴ３を終了する。これに対してステップＳＰ４８において制御部９１は、ステップＳＰ４５の処理を実行した後、ステップＳＰ６の処理を実行し、引き続きステップＳＰ７の処理を実行していると、媒体カセット２１の媒体載上板２２を既に昇降範囲の下限位置から上昇させていることで肯定結果を得て、ステップＳＰ５１に移る。そしてステップＳＰ５１において制御部９１は、媒体載上板２２を上昇させた際に検出していた載上板駆動モータ７１の装着時モータ駆動量を新たな離脱前モータ駆動量として、当該離脱前モータ駆動量を示すモータ駆動量情報を記憶部９２に記憶した後、ステップＳＰ５２に移って第３設定画面表示制御処理手順ＲＴ３を終了する。
【００６１】
またステップＳＰ８において制御部９１は、ステップＳＰ４５の処理を実行した後、ステップＳＰ６及びステップＳＰ７の処理を順次実行していると、カセット装着部３Ｃに媒体カセット２１が装着されているために肯定結果を得て、次のステップＳＰ５３に移る。そしてステップＳＰ５３において制御部９１は、媒体カセット２１の媒体載上板２２を昇降範囲の下限位置から上昇させているか否かを判別するものの、当該媒体載上板２２を昇降範囲の下限位置から上昇させていることで肯定結果を得て、ステップＳＰ５４に移る。よってステップＳＰ５４において制御部９１は、媒体載上板２２を上昇させた際に検出していた載上板駆動モータ７１の装着時モータ駆動量を新たな離脱前モータ駆動量として、当該離脱前モータ駆動量を示すモータ駆動量情報を記憶部９２に記憶した後、ステップＳＰ１１に移る。これに対してステップＳＰ８において制御部９１は、ステップＳＰ４の処理を実行した後、ステップＳＰ６及びステップＳＰ７の処理を順次実行しており、カセット着脱センサ２５により、カセット装着部３Ｃに媒体カセット２１が装着されたことを検出して肯定結果を得ても、次のステップＳＰ５３に移る。ただしステップＳＰ５３において制御部９１は、媒体カセット２１の媒体載上板２２を昇降範囲の下限位置から上昇させてはいないために否定結果を得て、ステップＳＰ５５に移る。このためステップＳＰ５５において制御部９１は、載上板駆動モータ７１を動作させて媒体カセット２１の媒体載上板２２を昇降範囲の下限位置から最上位媒体２を繰出ローラ２３に押し付ける位置まで上昇させて装着時モータ駆動量を検出した後、ステップＳＰ５４に移る。よってステップＳＰ５４において制御部９１は、その装着時モータ駆動量を新たな離脱前モータ駆動量として示すモータ駆動量情報を記憶部９２に記憶した後、次のステップＳＰ１１に移る。そして制御部９１は、引き続きステップＳＰ１１乃至１４及びステップＳＰ９の処理を適宜実行した後、ステップＳＰ５２に移って第３設定画面表示制御処理手順ＲＴ３を終了する。因みに第３の実施の形態による制御部９１も、上述した第１の実施の形態による制御部６５と同様に例えば、モノクロプリンタ９０の起動に応じて第３設定画面表示制御処理手順ＲＴ３を開始するが、モノクロプリンタ９０の動作中（すなわち、通電中）は、当該第３設定画面表示制御処理手順ＲＴ３が終了すると、再び第３設定画面表示制御処理手順ＲＴ３を開始する。このようにして制御部９１は、モノクロプリンタ９０の動作中、第３設定画面表示制御処理手順ＲＴ３を繰り返し実行して、カセット装着部３Ｃから媒体カセット２１が引き出される毎に適宜、表示部６８に媒体設定画面を表示して媒体設定情報を入力させることができる。
【００６２】
（３−４）第３の実施の形態の動作及び効果
以上の構成において、モノクロプリンタ９０の制御部９１は、プリンタ筐体３のカセット装着部３Ｃに媒体カセット２１が装着されている間、載上板駆動モータ７１を動作させて媒体載上板２２を上昇させる毎に、その際のモータ駆動量を順次加算して離脱前モータ駆動量として記憶部９２に記憶する。そのうえでモノクロプリンタ９０の制御部９１は、カセット着脱センサ２５により、プリンタ筐体３のカセット装着部３Ｃから媒体カセット２１が再び引き出されて離脱したことを検出すると、第１タイマにより計時を開始する。そしてモノクロプリンタ９０の制御部９１は、第１タイマ計時時間が第１設定時間に達する前に、カセット着脱センサ２５によりカセット装着部３Ｃに媒体カセット２１が装着されたことを検出すると、載上板駆動モータ７１を動作させて媒体カセット２１の媒体載上板２２を昇降範囲の下限位置から最上位媒体２を繰出ローラ２３に押し付ける位置まで上昇させて、このときの載上板駆動モータ７１の装着時モータ駆動量を、記憶部８６に記憶していた離脱前モータ駆動量と比較する。その結果、モノクロプリンタ９０の制御部９１は、装着時モータ駆動量と離脱前モータ駆動量との駆動量差分が規定範囲内であると、表示部６８に媒体設定画面を表示しない。以上の構成によれば、モノクロプリンタ９０は、ユーザにより媒体カセット２１に装填されている媒体２の種類や装填量、装填向き等を確認するために、プリンタ筐体３のカセット装着部３Ｃに対し媒体カセット２１が一旦引き出された後、押し込むようにして再び装着された場合、載上板駆動モータ７１の装着時モータ駆動量と離脱前モータ駆動量とを比較することで、カセット装着部３Ｃに対する媒体カセット２１の着脱が媒体２を確認するためであったことを、より的確に確認して、表示部６８に媒体設定画面を表示することを回避することができる。これによりモノクロプリンタ９０は、カセット装着部３Ｃに対し媒体カセット２１が媒体２の確認のために着脱された場合、ユーザに対して媒体設定画面の表示を終了させるために操作部６７を操作させ、また自動的に表示が終了するまで待たせるような煩わしさから、より確実に開放して使い勝手をさらに向上させることができる。
【００６３】
またモノクロプリンタ９０の制御部９１は、第１タイマ計時時間が第１設定時間に達する前に、カセット装着部３Ｃに媒体カセット２１が装着されて装着時モータ駆動量と離脱前モータ駆動量とを比較した際、これらの駆動量差分が規定範囲外であると、表示部６８に媒体設定画面を表示するようにした。これによりモノクロプリンタ９０は、プリンタ筐体３のカセット装着部３Ｃから媒体カセット２１が引き出されて例えば、装填する媒体２の種類や装填向きが素早く変更されたような場合、表示部６８に媒体設定画面を表示させるための操作を何ら行わせることなく、当該媒体設定画面を自動的に表示して媒体設定情報の入力を案内することができ、使い勝手をさらに向上させることができる。
【００６４】
（４）他の実施の形態
（４−１）他の実施の形態１
なお上述した第１の実施の形態においては、制御部６５がカセット着脱センサ２５により、カセット装着部３Ｃから媒体カセット２１が引き出されて離脱したことを検出した際、第１タイマ計時時間が第１設定時間に達する前にカセット着脱センサ２５により、カセット装着部３Ｃに媒体カセット２１が装着されたことを検出すると、表示部６８に媒体設定画面を表示しない場合について述べた。しかしながら本発明は、これに限らず、例えば、図５との対応部分に同一符号を付した図１７に示すように、制御部６５が第４設定画面表示制御処理手順ＲＴ４を開始して、ステップＳＰ１においてカセット着脱センサ２５により、カセット装着部３Ｃから媒体カセット２１が引き出されて離脱したことを検出すると、次のステップＳＰ６に移って表示部６８に媒体設定画面を表示した後、引き続きステップＳＰ２の処理を実行した後、ステップＳＰ３及びステップＳＰ４の処理を循環的に繰り返し実行する。そして本発明は、ステップＳＰ３において制御部６５が、第１タイマ計時時間が第１設定時間に達する前にカセット着脱センサ２５により、カセット装着部３Ｃに媒体カセット２１が装着されたことを検出すると、次のステップＳＰ５の処理を実行した後、次のステップＳＰ６１に移って表示部６８に対する媒体設定画面の表示を終了してステップＳＰ１に戻る。また本発明は、制御部６５が、ステップＳＰ１乃至ステップＳＰ９の処理を順次実行すると、ステップＳＰ６２に移って第４設定画面表示制御処理手順ＲＴ４を終了する。このようにして本発明は、カセット装着部３Ｃから媒体カセット２１が引き出されたことを起点として表示部６８に媒体設定画面の表示し、第１タイマ計時時間が第１設定時間に達する前にカセット装着部３Ｃに媒体カセット２１が装着されたことを起点として当該媒体設定画面の表示を終了するようにしても良い。また本発明は、上述した第２及び第３の実施の形態による第２及び第３設定画面表示制御処理手順ＲＴ２及びＲＴ３に第４設定画面表示制御処理手順ＲＴ４の処理を適用し、カセット装着部３Ｃから媒体カセット２１が引き出されたことを起点として表示部６８に媒体設定画面の表示し、第１タイマ計時時間が第１設定時間に達する前にカセット装着部３Ｃに媒体カセット２１が装着され、引き続き当該媒体カセット２１、８１に装填されている媒体２の種類や装填向きが変更されていないことを検出したときには表示部６８に対する媒体設定画面の表示を終了し、媒体カセット２１、８１に装填されている媒体２の種類や装填向きが変更されていることを検出したときには表示部６８に対する媒体設定画面の表示を継続するようにしても良い。本発明は、係る構成によっても、カセット装着部３Ｃに対し媒体カセット２１、８１が媒体２の確認のために着脱された場合、媒体設定画面の表示を終了させるために操作部６７を操作させ、また自動的に表示が終了するまで待たせるような煩わしさから確実に開放して、モノクロプリンタ１、８０、９０の使い勝手を向上させることができる。
【００６５】
また本発明は、例えは、第１の実施の形態において、媒体カセット２１にリアガイド３２、及び一対のサイドガイド３３、３４のガイド配置位置により当該媒体カセット２１に装填されている媒体２の装填向きと共にサイズを媒体サイズとして検出するための媒体サイズ検出センサを設ける。また本発明は、制御部６５が、カセット装着部３Ｃに媒体カセット２１が装着された際、媒体サイズ検出センサにより媒体サイズを検出して媒体サイズ情報として記憶部６９に記憶する。そして本発明は、制御部６５が、媒体カセット２１の着脱時、第１タイマ計時時間が第１設定時間に達する前にカセット着脱センサ２５により、カセット装着部３Ｃに媒体カセット２１が装着されたことを検出すると、引き続き媒体サイズ検出センサにより媒体サイズを検出して、記憶部６９から読み出した媒体サイズ情報が示す媒体サイズと比較する。その結果、本発明は、制御部６５が、媒体カセット２１の着脱の前後で媒体サイズが変化していないことを検出すると、表示部６８に媒体設定画面を表示せず、当該媒体カセット２１の着脱の前後で媒体サイズが変化していることを検出すると、表示部６８に媒体設定画面を表示しても良い。また本発明は、係る構成を第４設定画面表示制御処理手順ＲＴ４の処理に適用し、カセット装着部３Ｃから媒体カセット２１が引き出されたことを起点として表示部６８に媒体設定画面の表示し、第１タイマ計時時間が第１設定時間に達する前にカセット装着部３Ｃに媒体カセット２１が装着され、引き続き媒体カセット２１、８１の着脱前後で媒体サイズが変化していないことを検出したときには表示部６８に対する媒体設定画面の表示を終了し、媒体カセット２１、８１の着脱前後で媒体サイズが変化していることを検出したときには表示部６８に対する媒体設定画面の表示を継続するようにしても良い。また本発明は、係る構成と、第２及び第３の実施の形態の構成との少なくとも何れか２つを組み合わせて、媒体カセット２１、８１の着脱時に媒体設定画面の表示を制御することもできる。さらに本発明は、これらの構成の組み合わせに、さらに第４設定画面表示制御処理手順ＲＴ４の処理に適用して、媒体カセット２１、８１の着脱時に媒体設定画面の表示を制御することもできる。本発明は、これら種々の構成の組み合わせによっても、カセット装着部３Ｃに対し媒体カセット２１、８１が媒体２の確認のために着脱された場合、媒体設定画面の表示を終了させるために操作部６７を操作させ、また自動的に表示が終了するまで待たせるような煩わしさから確実に開放して、モノクロプリンタ１、８０、９０の使い勝手を向上させることができる。
【００６６】
（４−２）他の実施の形態２
さらに上述した第１乃至第３の実施の形態においては、プリンタ筐体３のカセット装着部３Ｃに、何れかの種類の媒体２を、装填向きを変更して装填可能な媒体カセット２１、８１を着脱可能に装着するようにした場合について述べた。しかしながら本発明は、これに限らず、プリンタ筐体３のカセット装着部３Ｃに、何れの種類の媒体２も媒体載上板２２に縦置き又は横置きの何れか一方の置き方で載上するようにして同一の装填向きで装填される媒体カセットを着脱可能に装着するようにしても良い。そして本発明は、係る構成の場合、例えば、上述した第２の実施の形態において、ユーザに媒体カセット８１に装填される媒体２の装填向きを選択させて制御部８５により検出する必要はなく、媒体２の種類のみを選択させて制御部８５により検出することができる。
【００６７】
（４−３）他の実施の形態３
また上述した第１乃至第３の実施の形態においては、モノクロプリンタ１、８０、９０の制御部６５、８５、９１が記憶部６９、８６、９２に予め記憶された第１乃至第３設定画面表示制御処理プログラムに従って、図５、図１１及び図１２、図１５及び図１６について上述した第１乃至第３設定画面表示制御処理手順ＲＴ１乃至ＲＴ３を実行するようにした場合について述べた。しかしながら本発明は、これに限らず、モノクロプリンタ１、８０、９０の制御部６５、８５、９１が、第１乃至第３設定画面表示制御処理プログラムが記憶されたコンピュータ読取可能な記憶媒体によって当該第１乃至第３設定画面表示制御処理プログラムをインストールし、又はローカルエリアネットワークやインターネット、デジタル衛星放送等の有線及び無線通信媒体を利用して外部から第１乃至第３設定画面表示制御処理プログラムをインストールして第１乃至第３設定画面表示制御処理手順ＲＴ１乃至ＲＴ３を実行しても良い。そして第１乃至第３設定画面表示制御処理プログラムをモノクロプリンタ１、８０、９０にインストールして実行可能な状態にするためのコンピュータ読取可能な記憶媒体としては、例えば、フレキシブルディスクや、ＣＤ−ＲＯＭ（Compact  Disc-Read  Only  Memory）、ＤＶＤ（Digital  Versatile  Disc）等のパッケージメディアで実現しても良く、第１乃至第３設定画面表示制御処理プログラムが一時的もしくは永続的に記憶される半導体メモリや磁気ディスク等で実現しても良い。またコンピュータ読取可能な記憶媒体に第１乃至第３設定画面表示制御処理プログラムを記憶する手段としては、ローカルエリアネットワークやインターネット、デジタル衛星放送等の有線及び無線通信媒体を利用しても良い。さらにコンピュータ読取可能な記憶媒体には、ルータやモデム等の各種通信インタフェースを介して第１乃至第３設定画面表示制御処理プログラムを記憶しても良い。
【００６８】
（４−４）他の実施の形態４
さらに上述した第１乃至第３の実施の形態においては、本発明による画像形成装置を、図１乃至図１７について上述したモノクロプリンタ１、８０、９０に適用するようにした場合について述べた。しかしながら本発明は、これに限らず、直接転写方式や２次転写式のカラー電子写真式プリンタ（以下、これをカラープリンタとも呼ぶ）、ＭＦＰ（Multi-Function  Peripheral）、ファクシミリ、複合機、複写機等のように、この他種々の構成の画像形成装置に広く適用することができる。
【００６９】
（４−５）他の実施の形態５
さらに上述した第１乃至第３の実施の形態においては、筐体に着脱可能で、複数種類の媒体を選択的に装填可能な媒体カセットとして、図１乃至図１７について上述した媒体カセット２１、８１を適用するようにした場合について述べた。しかしながら本発明は、これに限らず、装填された媒体２の繰出ローラ２３側のみを斜めに持ち上げる媒体載上板が設けられた媒体カセットや、媒体載上板に複数種類の媒体２が、縦置き又は横置きの何れか一方の置き方で載上するようにして同一の装填向きで装填される媒体カセット等のように、この他種々の構成の媒体カセットを広く適用することができる。
【００７０】
（４−６）他の実施の形態６
さらに上述した第１乃至第３の実施の形態においては、媒体カセットの状態を検出するセンサとして、図１乃至図１７について上述したカセット着脱センサ２５を適用するようにした場合について述べた。しかしながら本発明は、これに限らず、第１状態としてカセット装着部３Ｃから媒体カセット２１が完全に抜き出された状態、又はカセット装着部３Ｃに媒体カセット２１の後端部を残したまま、当該カセット装着部３Ｃから媒体カセット２１が引き出された状態を検出し、また第２状態としてカセット装着部３Ｃに媒体カセット２１が装着された状態、又はカセット装着部３Ｃに媒体カセット２１が装着されて制御部８５、９１と電気的に接続された状態を検出するセンサのように、この他種々の構成のセンサを広く適用することができる。
【００７１】
（４−７）他の実施の形態７
さらに上述した第１乃至第３の実施の形態においては、媒体カセットに装填された媒体の種類に関する媒体種類情報として、図１乃至図１７について上述した媒体設定情報を適用するようにした場合について述べた。しかしながら本発明は、これに限らず、媒体カセット２１に対する媒体２の装填向き（すなわち、媒体載上板２２への媒体２の縦置きや横置きのような載上の向き）に関する情報を除き、印刷画像の形成用に媒体カセット２１に装填される媒体２の種類（すなわち、サイズ、材質及び厚み等）のみを示す情報のように、この他種々の媒体種類情報を広く適用することができる。
【００７２】
（４−８）他の実施の形態８
さらに上述した第１乃至第３の実施の形態においては、媒体カセットに装填された媒体の種類に関する媒体種類情報を設定させるための媒体設定促進情報として、図１乃至図１７について上述した媒体設定画面データを適用するようにした場合について述べた。しかしながら本発明は、これに限らず、モノクロプリンタ１、８０、９０から外部のホストコンピュータのような上位装置に対して媒体種類情報を設定するように依頼するための媒体設定依頼情報のように、この他種々の構成の媒体設定促進情報を広く適用することができる。
【００７３】
（４−９）他の実施の形態９
さらに上述した第１乃至第３の実施の形態においては、媒体カセットに装填された媒体の種類に関する媒体種類情報を設定させるための媒体設定促進情報を出力する出力部として、図１乃至図１７について上述した表示部６８を適用するようにした場合について述べた。しかしながら本発明は、これに限らず、外部のホストコンピュータのような上位装置に対して媒体種類情報を設定するように依頼するために当該上位装置と通信するためのインタフェース部６６のように、この他種々の構成の出力部を広く適用することができる。
【００７４】
（４−１０）他の実施の形態１０
さらに上述した第１乃至第３の実施の形態においては、センサによる検出結果と、媒体種類情報とに基づいて、媒体カセットに装填された媒体を用いて画像形成処理の制御を行う制御部として、図１乃至図１７について上述したマイクロプロセッサ構成の制御部６５、８５、９１を適用するようにした場合について述べた。しかしながら本発明は、これに限らず、ＣＰＵ（Central  Processing  Unit）やＤＳＰ（Digital  Signal  Processor）等のように、この他種々の構成の制御部を広く適用することができる。
【００７５】
（４−１１）他の実施の形態１１
さらに上述した第１乃至第３の実施の形態においては、媒体カセットに設けられ、当該媒体カセットに装填された媒体の種類を検出するための媒体種類検出器として、図１乃至図１７について上述した選択種類検出器８３を適用するようにした場合について述べた。しかしながら本発明は、これに限らず、他の実施の形態１で上述した媒体種類としての媒体サイズを検出する媒体サイズ検出センサのように、この他種々の構成の媒体種類検出器を広く適用することができる。
【００７６】
（４−１２）他の実施の形態１２
さらに上述した第１乃至第３の実施の形態においては、媒体カセットに対する媒体の装填量を検出する装填量検出部として、図１乃至図１７について上述した媒体２の装填量として載上板駆動モータ７１のモータ駆動量を検出する制御部９１を適用するようにした場合について述べた。しかしながら本発明は、これに限らず、例えば、媒体カセット８１に設けられ、媒体２の装填量として媒体載上板の上面から最上位媒体２までの高さを光学的又は物理的に検出する装填量検出部のように、この他種々の構成の装填量検出部を広く適用することができる。
【産業上の利用可能性】
【００７７】
本発明は、モノクロプリンタやカラープリンタ、ＭＦＰ、ファクシミリ、複合機、複写機等の画像形成装置に利用することができる。
【符号の説明】
【００７８】
１、８０、９０……モノクロプリンタ、２……媒体、３……プリンタ筐体、３Ｃ……カセット装着部、２１、８１……媒体カセット、２２……媒体載上板、２５……カセット着脱センサ、２６……媒体上昇位置センサ、６５、８５、９１……制御部、６８……表示部、６９、８６、９２……記憶部、７１……載上板駆動モータ、８２……選択操作子、８３……選択種類検出器、ＲＴ１……第１設定画面表示制御処理手順、ＲＴ２……第２設定画面表示制御処理手順、ＲＴ３……第３設定画面表示制御処理手順。
【図１】
2016137966.tif 000003
【図２】
2016137966.tif 000004
【図３】
2016137966.tif 000005
【図４】
2016137966.tif 000006
【図５】
2016137966.tif 000007
【図６】
2016137966.tif 000008
【図７】
2016137966.tif 000009
【図８】
2016137966.tif 000010
【図９】
2016137966.tif 000011
【図１０】
2016137966.tif 000012
【図１１】
2016137966.tif 000013
【図１２】
2016137966.tif 000014
【図１３】
2016137966.tif 000015
【図１４】
2016137966.tif 000016
【図１５】
2016137966.tif 000017
【図１６】
2016137966.tif 000018
【図１７】
2016137966.tif 000019